(57)【要約】【課題】主観画質の低減を抑制することができるようにする。【解決手段】アナログ信号の画素出力に対するA/D変換を行う期間の一部または全部において、そのA/D変換により得られるデジタルデータの画素データの転送を制御するシフトレジスタの駆動を停止させる。本開示は、例えば、信号処理装置、撮像素子、撮像装置、画像処理装置、電子機器、信号処理方法、またはプログラム等に適用することができる。【選択図】図４
2018195975.tif 000002
【特許請求の範囲】
【請求項１】
アナログ信号の画素出力に対するA/D変換を行う期間の一部または全部において、前記A/D変換により得られるデジタルデータの画素データの転送を制御するシフトレジスタの駆動を停止させる制御部
を備える信号処理装置。
【請求項２】
前記制御部は、前記A/D変換を行う期間の開始タイミングから前記シフトレジスタの駆動を停止させる
請求項１に記載の信号処理装置。
【請求項３】
前記制御部は、相関二重サンプリングのリセット期間の画素出力に対するA/D変換を行う期間、並びに、前記相関二重サンプリングの信号読み出し期間の画素出力に対するA/D変換を行う期間の一部または全部において、前記シフトレジスタの駆動を停止させる
請求項２に記載の信号処理装置。
【請求項４】
前記制御部は、前記リセット期間の画素出力に対するA/D変換を行う期間の全部と、前記信号読み出し期間の画素出力に対するA/D変換を行う期間の内の、前記リセット期間の画素出力に対するA/D変換を行う期間よりも長い期間とにおいて、前記シフトレジスタの駆動を停止させる
請求項３に記載の信号処理装置。
【請求項５】
前記シフトレジスタは、前記画素データを保持する保持部と、前記保持部から読み出された前記画素データを電流から電圧に変換するセンスアンプとの駆動を制御することにより、前記画素データの転送を制御する
請求項１に記載の信号処理装置。
【請求項６】
前記制御部は、前記シフトレジスタを駆動させるシフトレジスタ用クロックの供給を停止することにより前記シフトレジスタの駆動を停止させ、前記シフトレジスタ用クロックの供給を再開することにより前記シフトレジスタの駆動を再開させる
請求項５に記載の信号処理装置。
【請求項７】
前記制御部は、所定の基準クロックをカウントし、そのカウント値に基づいて前記シフトレジスタ用クロックの供給の停止および再開を行う
請求項６に記載の信号処理装置。
【請求項８】
前記制御部は、イネーブル信号に基づいて前記シフトレジスタ用クロックの供給の停止および再開を行う
請求項６に記載の信号処理装置。
【請求項９】
前記制御部は、前記シフトレジスタを初期化することにより前記シフトレジスタの駆動を停止させ、前記シフトレジスタにトリガ信号を供給することにより前記シフトレジスタの駆動を再開させる
請求項５に記載の信号処理装置。
【請求項１０】
前記制御部は、前記シフトレジスタの駆動を再開させる場合、前記シフトレジスタの、動作を再開させる位置に、前記トリガ信号を供給する
請求項９に記載の信号処理装置。
【請求項１１】
前記シフトレジスタをさらに備える
請求項５に記載の信号処理装置。
【請求項１２】
前記保持部と、
前記センスアンプと
をさらに備える請求項１１に記載の信号処理装置。
【請求項１３】
アナログ信号の画素出力に対するA/D変換を行う期間の一部または全部において、前記A/D変換により得られるデジタルデータの画素データの転送を制御するシフトレジスタの駆動を停止させる
信号処理方法。
【請求項１４】
それぞれが入射光を光電変換する構成を有する複数の画素からなる画素アレイと、
前記画素アレイから得られるアナログ信号の画素出力をA/D変換するA/D変換部と、
前記A/D変換部により前記画素出力がA/D変換されて得られるデジタルデータの画素データを保持する保持部と、
前記保持部から読み出された前記画素データを電流から電圧に変換するセンスアンプと、
前記保持部と前記センスアンプとの駆動を制御することにより、前記画素データの転送を制御するシフトレジスタと、
前記A/D変換部による前記画素出力に対するA/D変換を行う期間の一部または全部において、前記シフトレジスタの駆動を停止させる制御部と
を備える撮像素子。
【請求項１５】
前記制御部は、前記A/D変換部による前記画素出力に対する前記A/D変換を行う期間の開始タイミングから前記シフトレジスタの駆動を停止させる
請求項１４に記載の撮像素子。
【請求項１６】
前記制御部は、前記A/D変換部による、相関二重サンプリングのリセット期間の画素出力に対するA/D変換を行う期間、並びに、前記相関二重サンプリングの信号読み出し期間の画素出力に対するA/D変換を行う期間の一部または全部において、前記シフトレジスタの駆動を停止させる
請求項１５に記載の撮像素子。
【請求項１７】
前記制御部は、所定の基準クロックをカウントし、そのカウント値に基づいて、前記シフトレジスタを駆動させるシフトレジスタ用クロックの供給を停止することにより前記シフトレジスタの駆動を停止させ、前記シフトレジスタ用クロックの供給を再開することにより前記シフトレジスタの駆動を再開させる
請求項１４に記載の撮像素子。
【請求項１８】
前記制御部は、イネーブル信号に基づいて、前記シフトレジスタを駆動させるシフトレジスタ用クロックの供給を停止することにより前記シフトレジスタの駆動を停止させ、前記シフトレジスタ用クロックの供給を再開することにより前記シフトレジスタの駆動を再開させる
請求項１４に記載の撮像素子。
【請求項１９】
前記制御部は、前記シフトレジスタを初期化することにより前記シフトレジスタの駆動を停止させ、前記シフトレジスタにトリガ信号を供給することにより前記シフトレジスタの駆動を再開させる
請求項１４に記載の撮像素子。
【請求項２０】
被写体を撮像する撮像部と、
前記撮像部による撮像により得られた画像データを画像処理する画像処理部と
を備え、
前記撮像部は、
それぞれが入射光を光電変換する構成を有する複数の画素からなる画素アレイと、
前記画素アレイから得られるアナログ信号の画素出力をA/D変換するA/D変換部と、
前記A/D変換部により前記画素出力がA/D変換されて得られるデジタルデータの画素データを保持する保持部と、
前記保持部から読み出された前記画素データを電流から電圧に変換するセンスアンプと、
前記保持部と前記センスアンプとの駆動を制御することにより、前記画素データの転送を制御するシフトレジスタと、
前記A/D変換部による前記画素出力に対するA/D変換を行う期間の一部または全部において、前記シフトレジスタの駆動を停止させる制御部と
を備える電子機器。
【発明の詳細な説明】
【技術分野】
【０００１】
本開示は、信号処理装置および方法、撮像素子、並びに、電子機器に関し、特に、主観画質の低減を抑制することができるようにした信号処理装置および方法、撮像素子、並びに、電子機器に関する。
【背景技術】
【０００２】
従来、一般的なCMOS（Complementary Metal Oxide Semiconductor）イメージセンサ等の撮像素子においては、画素アレイの各カラムから読み出されたある行の画素信号は、A/D変換されてデジタルデータとしてラッチされ、次の行の画素信号がA/D変換されている間にデータ転送され、信号処理されて撮像素子より出力される（例えば特許文献１参照）。
【先行技術文献】
【特許文献】
【０００３】
【特許文献１】特開２０１０−１９９９２０号公報
【発明の概要】
【発明が解決しようとする課題】
【０００４】
しかしながら、データ転送を行うと、転送されるデジタルデータを電流から電圧に変換するセンスアンプが駆動し、そのセンスアンプにおいて電流変動が発生する。このセンスアンプの電流変動による磁気誘導によって、A/D変換の入力であるランプ波や画素信号にノイズがのるおそれがあった。このノイズがのることにより、結果として、この撮像素子において得られる撮像画像に横帯状のノイズやシェーディングノイズ等が発生し、撮像画像の主観画質が低減するおそれがあった。
【０００５】
本開示は、このような状況に鑑みてなされたものであり、主観画質の低減を抑制することができるようにするものである。
【課題を解決するための手段】
【０００６】
本技術の一側面の信号処理装置は、アナログ信号の画素出力に対するA/D変換を行う期間の一部または全部において、前記A/D変換により得られるデジタルデータの画素データの転送を制御するシフトレジスタの駆動を停止させる制御部を備える信号処理装置である。
【０００７】
本技術の一側面の信号処理方法は、アナログ信号の画素出力に対するA/D変換を行う期間の一部または全部において、前記A/D変換により得られるデジタルデータの画素データの転送を制御するシフトレジスタの駆動を停止させる信号処理方法である。
【０００８】
本技術の他の側面の撮像素子は、それぞれが入射光を光電変換する構成を有する複数の画素からなる画素アレイと、前記画素アレイから得られるアナログ信号の画素出力をA/D変換するA/D変換部と、前記A/D変換部により前記画素出力がA/D変換されて得られるデジタルデータの画素データを保持する保持部と、前記保持部から読み出された前記画素データを電流から電圧に変換するセンスアンプと、前記保持部と前記センスアンプとの駆動を制御することにより、前記画素データの転送を制御するシフトレジスタと、前記A/D変換部による前記画素出力に対するA/D変換を行う期間の一部または全部において、前記シフトレジスタの駆動を停止させる制御部とを備える撮像素子である。
【０００９】
本技術のさらに他の側面の電子機器は、被写体を撮像する撮像部と、前記撮像部による撮像により得られた画像データを画像処理する画像処理部とを備え、前記撮像部は、それぞれが入射光を光電変換する構成を有する複数の画素からなる画素アレイと、前記画素アレイから得られるアナログ信号の画素出力をA/D変換するA/D変換部と、前記A/D変換部により前記画素出力がA/D変換されて得られるデジタルデータの画素データを保持する保持部と、前記保持部から読み出された前記画素データを電流から電圧に変換するセンスアンプと、前記保持部と前記センスアンプとの駆動を制御することにより、前記画素データの転送を制御するシフトレジスタと、前記A/D変換部による前記画素出力に対するA/D変換を行う期間の一部または全部において、前記シフトレジスタの駆動を停止させる制御部とを備える電子機器である。
【００１０】
本技術の一側面においては、アナログ信号の画素出力に対するA/D変換を行う期間の一部または全部において、そのA/D変換により得られるデジタルデータの画素データの転送を制御するシフトレジスタの駆動が停止される。
【００１１】
本技術の他の側面においては、画素アレイの各画素への入射光が光電変換され、その画素アレイから得られるアナログ信号の画素出力がA/D変換され、その画素出力がA/D変換されて得られるデジタルデータの画素データが保持部に保持され、その保持部から読み出された画素データが電流から電圧に変換され、画素出力に対するA/D変換を行う期間の一部または全部において、そのような画素データの転送を制御するシフトレジスタの駆動が停止される。
【００１２】
本技術のさらに他の側面においては、被写体を撮像する撮像部において、画素アレイの各画素への入射光が光電変換され、その画素アレイから得られるアナログ信号の画素出力がA/D変換され、その画素出力がA/D変換されて得られるデジタルデータの画素データが保持部に保持され、その保持部から読み出された画素データが電流から電圧に変換され、画素出力に対するA/D変換を行う期間の一部または全部において、そのような画素データの転送を制御するシフトレジスタの駆動が停止され、その撮像部の外部において、そのようにして得られた被写体の撮像画像の画像データが画像処理される。
【発明の効果】
【００１３】
本開示によれば、信号を処理することができる。特に、主観画質の低減を抑制することができる。
【図面の簡単な説明】
【００１４】
【図１】センスアンプの電流変動の様子の例を説明する図である。
【図２】撮像素子の主な構成例を示すブロック図である。
【図３】データ転送部の主な構成例を示すブロック図である。
【図４】データ転送制御の様子の例を説明する図である。
【図５】読み出し処理部の主な構成例を示すブロック図である。
【図６】クロック制御の様子の例を説明する図である。
【図７】データ転送制御処理の流れの例を説明するフローチャートである。
【図８】読み出し処理部の主な構成例を示すブロック図である。
【図９】クロック制御の様子の例を説明する図である。
【図１０】データ転送制御処理の流れの例を説明するフローチャートである。
【図１１】Ｈスキャナの主な構成例を示すブロック図である。
【図１２】データ転送制御の様子の例を説明する図である。
【図１３】データ転送制御処理の流れの例を説明するフローチャートである。
【図１４】撮像装置の主な構成例を示すブロック図である。
【図１５】車両制御システムの概略的な構成の一例を示すブロック図である。
【図１６】車外情報検出部及び撮像部の設置位置の一例を示す説明図である。
【発明を実施するための形態】
【００１５】
以下、本開示を実施するための形態（以下実施の形態とする）について説明する。なお、説明は以下の順序で行う。
１．データ転送による磁気誘導の影響
２．第１の実施の形態（撮像素子・カウントに基づくデータ転送制御）
３．第２の実施の形態（撮像素子・イネーブル信号に基づくデータ転送制御）
４．第３の実施の形態（撮像素子・シフトレジスタリセットによるデータ転送制御）
５．第４の実施の形態（撮像素子・その他によるデータ転送制御）
６．第５の実施の形態（撮像装置）
７．移動体への応用例
８．その他
【００１６】
＜１．データ転送による磁気誘導の影響＞
＜データ転送とA/D変換＞
従来、一般的なCMOS（Complementary Metal Oxide Semiconductor）イメージセンサ等の撮像素子においては、画素信号は、画素アレイから行毎に読み出され、行毎にA/D変換されてデジタルデータとしてラッチされ、行毎にデータ転送され、信号処理されて撮像素子より出力される。
【００１７】
例えば、図１の一番上の段に示されるように設定されるデータ読み出し期間XHSにおいて、上から３段目に示されるようにデータ転送開始通知信号HSTRGとしてパルス（データ転送開始パルス）が供給されると、画素信号のデータ転送を制御するシフトレジスタは、上から２段目に示されるシフトレジスタ用クロックHSCCKに従って各カラムのデータラッチに保持されているデジタルデータを順次センスアンプに供給させる。すなわち、シフトレジスタは、１行分の画素信号を１画素ずつセンスアンプに供給させる。センスアンプは、画素毎に供給される画素信号の電流を電圧に変換し、後段に供給する。
【００１８】
このようなデータ転送動作により、例えばセンスアンプにおいて、図１の上から４段目に示されるような電流変動が発生する。例えば、転送開始直後の期間１１においては、センスアンプへの電流供給が開始され、転送開始前に略ゼロであった電流が大きく変化する。また、転送期間中である期間１２においては、処理対象のデータラッチと電源との距離等に応じて、センスアンプに供給される電流が緩やかに変化する。さらに、転送が終了する期間１３においては、センスアンプの電流は略ゼロになるまで大きく変化する。
【００１９】
このようなデータ転送に並行して、画素アレイからは次の行の画素信号が読み出され、その行の画素信号に対するA/D変換が行われる。例えば画素アレイのカラム毎にA/D変換部が設けられ、その行の各画素の画素信号は互いに並行にA/D変換される。このA/D変換においては、画素アレイから読み出された画素信号と、図１の一番下に示されるようなランプ波（RAMP波）とで大きさが比較される。その比較開始から、ランプ波が画素信号より大きくなるまでの時間（カウント値）が、その画素信号のデジタルデータとして出力される。なお、画素信号の読み出しにおいて、相関二重サンプリング（CDS（Correlated Double Sampling））が行われる。したがって、図１の一番下に示されるように、A/D変換は、リセット期間（Ｐ相）と信号読み出し期間（Ｄ相）との２度行われる。
【００２０】
これらのA/D変換中に、例えばセンスアンプ等において、データ転送に起因して上述のような電流変動が生じると、それに伴う磁気誘導により画素信号やランプ波にノイズがのり、正しくA/D変換を行うことができなくなるおそれがあった。このようにA/D変換結果に誤差が生じると、結果として、この撮像素子において得られる撮像画像に横帯状のノイズやシェーディングノイズ等が発生し、撮像画像の主観画質が低減するおそれがあった。
【００２１】
＜２．第１の実施の形態＞
＜A/D変換中のデータ転送制御＞
そこで、アナログ信号の画素出力に対するA/D変換を行う期間の一部または全部において、そのA/D変換により得られるデジタルデータの画素データの転送を制御するシフトレジスタの駆動を停止させるようにする。
【００２２】
このようにすることにより、A/D変換中のセンスアンプの電流変動を抑制することができるため、データ転送による画素出力やランプ波への影響を抑制することができる。したがって、撮像画像における横帯状のノイズやシェーディングノイズ等の発生を抑制し、撮像画像の主観画質の低減を抑制することができる。
【００２３】
＜撮像素子＞
図２は、本技術を適用した撮像素子の一実施の形態の例を示すブロック図である。図２に示される撮像素子１００は、被写体からの光を光電変換して画像データとして出力するデバイスである。例えば、撮像素子１００は、CMOS（Complementary Metal Oxide Semiconductor）を用いたCMOSイメージセンサとして構成される。
【００２４】
図２に示されるように、撮像素子１００は、制御部１０１、画素アレイ部１０２、行選択部１０３、参照電圧生成部１０４、カラムA/D変換部１０５、データ転送部１０６、読み出し処理部１０７、および出力インタフェース（I/F）部１０８を有する。
【００２５】
制御部１０１は、所定のデジタル回路等を有し、撮像素子１００内の各処理部の駆動の制御に関する処理を行う。例えば、制御部１０１は、クロック信号や制御信号等を各処理部に供給することにより、各処理部において行われる処理を制御する。
【００２６】
なお、制御部１０１が、例えば、CPU（Central Processing Unit）、ROM（Read Only Memory）、RAM（Random Access Memory）を有し、CPUがROM等に記憶されているプログラムやデータをRAMにロードして実行することにより、それらの処理を行うようにしてもよい。
【００２７】
画素アレイ部１０２は、それぞれが被写体からの入射光を受光して光電変換する構成（例えばフォトダイオード等）を有する、例えば行列状に配置された複数の画素等により構成される。各画素においては、例えば制御部１０１や行選択部１０３等により制御されて、フォトダイオードにおいて入射光が光電変換され、その入射光の光量に相当する電荷量の電荷が蓄積される。
【００２８】
画素アレイ部１０２においては、各画素から、その画素において蓄積している電荷量に相当する電圧（画素値）のアナログ信号が画素出力として読み出される。この画素出力の読み出しは、例えば制御部１０１や行選択部１０３により制御され、ライン（行）毎に行われる。
【００２９】
行選択部１０３は、ライン（行）の選択に関する構成を有し、ラインの選択に関する処理を行う。例えば、行選択部１０３は、制御部１０１により制御され、画素アレイ部１０２より画素出力を読み出すライン（行）、すなわち、画素値の読み出しの対象となるラインを選択し、その選択したラインを示す制御信号を画素アレイ部１０２に供給する。
【００３０】
参照電圧生成部１０４は、ランプ波の生成に関する構成を有し、参照電圧の生成に関する処理を行う。例えば、制御部１０１により制御され、画素出力のA/D変換において使用される、所定の電圧またはランプ波の参照電圧を生成し、それをカラムA/D変換部１０５に供給する。
【００３１】
カラムA/D変換部１０５は、例えば、比較器、バッファ、カウンタ等、A/D変換に関する構成を有し、A/D変換に関する処理を行う。例えば、カラムA/D変換部１０５は、A/D変換機能実現する構成を画素アレイ部１０２のカラム毎に有し、制御部１０１により制御され、画素アレイ部１０２より読み出される各カラム（列）の画素出力（アナログ信号）を互いに並行してA/D変換することができる。したがって、画素アレイ部１０２から１ラインずつ画素出力が読み出される場合、カラムA/D変換部１０５は、その１ライン分の各カラム（つまり各画素）の画素出力を互いに並行してA/D変換することができる。つまりこの場合、カラムA/D変換部１０５は、画素出力を１ラインずつA/D変換する。例えば、カラムA/D変換部１０５は、画素アレイ部１０２より読み出されたラインの各カラムの画素出力を参照電圧生成部１０４により生成された参照電圧と比較し、比較を開始してから参照電圧が画素出力より大きくなるまでの時間（クロック数）をカウントし、そのカウント値をA/D変換結果とする。つまり、カラムA/D変換部１０５は、各カラムのそのカウント値（デジタルデータ）を画素データとしてデータ転送部１０６に供給する。
【００３２】
なお、撮像素子１００は、画素出力の読み出しにおいて、相関二重サンプリング（CDS（Correlated Double Sampling））を行う。つまり、撮像素子１００は、リセット期間（Ｐ相）と信号読み出し期間（Ｄ相）の２回の読み出しを行う。したがって、カラムA/D変換部１０５もA/D変換を、リセット期間（Ｐ相）と信号読み出し期間（Ｄ相）の２回行う。
【００３３】
データ転送部１０６は、例えば、データラッチ、センスアンプ、シフトレジスタ等、画素データの転送に関する構成を有し、画素データのデータ転送に関する処理を行う。例えば、データ転送部１０６は、制御部１０１および読み出し処理部１０７により制御され、カラムA/D変換部１０５から供給される１ライン分の画素データを１カラムずつ順次読み出し処理部１０７に転送する。
【００３４】
読み出し処理部１０７は、所定のデジタル回路等を有し、制御部１０１により制御され、データ転送部１０６からの画素データの読み出しに関する処理を行う。例えば、読み出し処理部１０７は、矢印１２１に示されるように制御部１０１からクロック信号や制御信号等を取得し、それらの信号に基づいて処理を行う。また、例えば、読み出し処理部１０７は、矢印１２２に示されるようにクロック信号や制御信号等をデータ転送部１０６に供給し、データ転送部１０６の駆動（すなわち、画素データのデータ転送）を制御する。さらに、例えば、読み出し処理部１０７は、矢印１２３に示されるように、データ転送部１０６から読み出された画素データを取得する。また、例えば、読み出し処理部１０７は、取得した画素データを一時的に保持する。なお、読み出し処理部１０７が、その画素データに対して所定の信号処理を行うようにしてもよい。さらに、例えば、読み出し処理部１０７は、所定のタイミング等において、矢印１２４に示されるように、保持しているデータを出力インタフェース（I/F）部１０８に供給する。
【００３５】
なお、例えば、読み出し処理部１０７が、CPU、ROM、RAM等を有し、CPUがROM等に記憶されているプログラムやデータをRAMにロードして実行することにより、それらの処理を行うようにしてもよい。
【００３６】
出力インタフェース（I/F）部１０８は、制御部１０１により制御され、画素データの出力に関する処理を行う。例えば、出力インタフェース部１０８は、所定の外部出力端子を有し、読み出し処理部１０７から供給される画素データ等を、その外部出力端子を介して、撮像素子１００の外部に出力する。
【００３７】
＜データ転送部＞
図３は、データ転送部１０６の主な構成例を示す図である。図３に示されるように、データ転送部１０６は、データラッチ１５１、データバス１５２、データバス１５３、センスアンプ１５４、およびＨスキャナ１５５を有する。
【００３８】
データラッチ１５１は、情報を記憶することができる構成を有し、カラムA/D変換部１０５より供給される画素データ（A/D変換結果）を保持する。なお、図３においては、符号（１５１）を１つの四角のみに付しているが、図中水平方向に並ぶ同様の四角は全てデータラッチ１５１を示している。また、図３においては、１０個のデータラッチ１５１が示されているが、実際には、データラッチ１５１は、画素アレイ部１０２のカラム（列）毎に設けられる。
【００３９】
つまり、図３においてはカラムA/D変換部１０５とデータラッチ１５１とを結ぶ信号線の図示を省略しているが、カラムA/D変換部１０５において得られる各カラムの画素データは、各カラムに割り当てられた信号線を介して伝送され、各カラムに割り当てられたデータラッチ１５１により保持される。
【００４０】
各データラッチ１５１は、データバス１５２およびデータバス１５３によりセンスアンプ１５４（の増幅部１６１）に接続されている。各データラッチ１５１に保持されている画素データは、後述するＨスキャナ１５５（シフトレジスタ１８２）により制御されて、１カラムずつ、順次、センスアンプ１５４（の増幅部１６１）に供給される。
【００４１】
このデータバス１５２およびデータバス１５３のうち、一方には、データラッチ１５１に保持される値に相当する正の電流が流れ、他方には、データラッチ１５１に保持される値に相当する負の電流が流れる。つまり、センスアンプ１５４には、データラッチ１５１に保持されている画素データが電流として供給される。センスアンプ１５４は、供給される画素データの電流を電圧に変換し、読み出し処理部１０７に供給する。
【００４２】
図３に示されるように、センスアンプ１５４は、例えば、増幅部（SA）１６１、フリップフロップ１６２乃至フリップフロップ１６４、並びに、遅延部（Delay）１６５乃至遅延部１６７を有する。増幅部１６１は、データバス１５２およびデータバス１５３を介して入力される電流を差動増幅し、電圧に変換する。フリップフロップ１６２乃至フリップフロップ１６４は、遅延部１６５乃至遅延部１６７を介して、後述するＨスキャナ１５５（シフトレジスタ１８２）により制御されて、増幅部１６１の出力（画素データ）を所定のタイミングにおいて読み出し処理部１０７に転送する（SAOUT）。
【００４３】
Ｈスキャナ１５５は、以上のような画素データのデータ転送動作の制御に関する構成を有し、読み出し処理部１０７や制御部１０１等により制御されて、そのデータ転送動作の制御に関する処理を行う。例えば、Ｈスキャナ１５５は、図３に示されるようにＨデコーダ１８１およびシフトレジスタ１８２を有する。Ｈデコーダ１８１は、供給されるアドレス情報H_ADDをデコードして、そのアドレス情報H_ADDにより指定されるアドレス（カラム）を示す制御信号を生成し、それをシフトレジスタ１８２に供給する。
【００４４】
シフトレジスタ１８２は、例えばフリップフロップ１９１や増幅部等、画素データのデータ転送動作の制御に関する構成を有し、読み出し処理部１０７、制御部１０１、Ｈデコーダ１８１等により制御されて、画素データのデータ転送動作の制御に関する処理を行う。なお、図３においては、符号（１９１）を１つのフリップフロップのみに付しているが、図中水平方向に並ぶ同様のフリップフロップは全てシフトレジスタ１８２を構成するフリップフロップ１９１である。また、図３においては、１０個のフリップフロップ１９１が示されているが、実際には、フリップフロップ１９１は、データラッチ１５１と同数（すなわち、画素アレイ部１０２のカラム（列）毎に）設けられる。
【００４５】
シフトレジスタ１８２は、読み出し処理部１０７から供給されるデータ転送開始通知信号HSTRGやシフトレジスタ用クロックHSCCK等の制御信号や、Ｈデコーダ１８１から供給される制御信号等に基づいて駆動する。シフトレジスタ１８２が駆動することにより、各データラッチ１５１並びにセンスアンプ１５４の駆動が制御される。より具体的には、シフトレジスタ１８２は、各データラッチ１５１からの画素データの読み出しを制御することにより、各データラッチ１５１に保持されている画素データの、センスアンプ１５４への転送を制御する。また、シフトレジスタ１８２は、遅延部１６５乃至遅延部１６７を介してセンスアンプ１５４のフリップフロップ１６２乃至フリップフロップ１６４の駆動を制御し、増幅部１６１の出力の読み出し処理部１０７への転送（SAOUT）を制御する。
【００４６】
＜データ転送制御方法＞
図１を参照して説明したように、A/D変換中にセンスアンプ等に電流変動が生じると、それに伴う磁気誘導等によって画素出力やランプ波にノイズがのり、結果として撮像画像の主観画質が低減してしまうおそれがある。したがって、そのようなノイズを抑制するためには、データ転送に起因するA/D変換中の電流変動を抑制するようにすればよい。そのために、例えば、A/D変換中において画素データのデータ転送を停止させ、センスアンプの駆動を停止させるようにしてもよい。そのために、例えば、シフトレジスタ１８２の駆動を停止させるようにしてもよい。シフトレジスタ１８２の駆動は、例えば、シフトレジスタ用クロックHSCCKの供給を制御することによって、制御することができる。
【００４７】
図４にその例を示す。つまり、まず、図４の上から２段目に示されるようにデータ転送開始通知信号HSTRGとしてパルス（データ転送開始パルス）をシフトレジスタ１８２に供給し、シフトレジスタ１８２に画素データのデータ転送を開始させる。シフトレジスタ１８２は、上から１段目に示される、シフトレジスタ１８２を駆動させるシフトレジスタ用クロックHSCCKに従って各カラムのデータラッチに保持されているデジタルデータ（画素データ）を順次センスアンプ１５４に供給させる。
【００４８】
したがって、上から３段目に示されるように、センスアンプ１５４の電流は、開始直後の期間２０１において図１の場合と同様に大きく変動し、データ転送中の期間２０２においても図１の場合と同様に緩やかに変化する。つまり、これらの期間は、A/D変換が行われていないので図１と同様にデータ転送を実行させる。
【００４９】
そして、上から１段目に示されるように、リセット期間（Ｐ相）のA/D変換が行われる期間２０３になると、シフトレジスタ用クロックHSCCKの供給が停止される。つまり、シフトレジスタ用クロックHSCCKのパルスがシフトレジスタ１８２に供給されなくなる。これにより、シフトレジスタ１８２の駆動を停止させることができる。つまり、データ転送が停止される。したがって、センスアンプ１５４の駆動も停止するので、上から３段目に示されるようにセンスアンプ１５４の電流が略ゼロとなる。
【００５０】
リセット期間（Ｐ相）のA/D変換が行われる期間２０３が終了すると、上から１段目に示されるように、シフトレジスタ用クロックHSCCKの供給が再開される。これにより、シフトレジスタ１８２の駆動を再開させることができる。つまり、データ転送が再開され、センスアンプ１５４の駆動も再開され、上から３段目に示されるようセンスアンプ１５４の電流が略ゼロの状態から駆動時の値まで大きく変化する。そして、期間２０４においてデータ転送が行われ、センスアンプの電流が図１の場合と同様に緩やかに変化する。つまり、この期間２０４は、A/D変換が行われていないので図１と同様にデータ転送を実行させる。
【００５１】
そして、上から１段目に示されるように、信号読み出し期間（Ｄ相Dark）のA/D変換が行われる期間２０５になると、シフトレジスタ用クロックHSCCKの供給が再び停止される。これにより、期間２０３の場合と同様に、シフトレジスタ１８２の駆動が停止され、データ転送もセンスアンプ１５４の駆動も停止するので、上から３段目に示されるようにセンスアンプ１５４の電流が略ゼロとなる。
【００５２】
なお、信号読み出し期間の途中の所定のタイミングになると（期間２０５が終了すると）、上から１段目に示されるように、シフトレジスタ用クロックHSCCKの供給が再開される。これにより、シフトレジスタ１８２の駆動が再開され、データ転送およびセンスアンプ１５４の駆動が再開される。したがって、上から３段目に示されるようセンスアンプ１５４の電流が略ゼロの状態から駆動時の値まで大きく変化する。そして、その後の期間２０６においてデータ転送が終了するまで、センスアンプ１５４の電流が図１の場合と同様に緩やかに変化する。そして、データ転送が終了すると、センスアンプ１５４の駆動も停止されるので、センスアンプ１５４の電流は略ゼロになるまで大きく変化する。
【００５３】
このように、A/D変換中にシフトレジスタ１８２の駆動を停止させることにより、A/D変換中のデータ伝送に起因する電流変動を抑制することができる。つまり、A/D変換中にシフトレジスタ１８２の駆動を停止させることにより、画素出力やランプ波にノイズがのることを抑制することができ、結果として、横帯状のノイズやシェーディングノイズ等の発生を抑制し、撮像画像の主観画質の低減を抑制することができる。
【００５４】
そして上述したように、このシフトレジスタ１８２の駆動は、読み出し処理部１０７からのシフトレジスタ用クロックHSCCKの供給によって容易に制御することができる。
【００５５】
つまり、例えば、読み出し処理部１０７が、シフトレジスタ用クロックHSCCKの供給を停止することにより、シフトレジスタ１８２の駆動を停止させることができる。また、読み出し処理部１０７が、シフトレジスタ用クロックHSCCKの供給を再開することにより、シフトレジスタ１８２の駆動を再開させることができる。
【００５６】
したがって、読み出し処理部１０７は、容易に、所望のタイミングにおいてシフトレジスタ１８２の駆動を停止させることができる。つまり、読み出し処理部１０７は、例えばA/D変換が行われる期間においてシフトレジスタ１８２の駆動を停止させるような制御を容易に行うことができる。つまり、読み出し処理部１０７は、A/D変換中のセンスアンプ等の電流変動を容易に抑制することができる。
【００５７】
なお、上述のように、データ転送を中断させると、当然、その分データ転送の処理時間が増大する。しかしながら、画素データのデータ転送と、次のラインの画素出力のA/D変換は、所定のデータ読み出し期間（XHS）内に終了させなければならない。換言するに、これらの処理が遅延すると、その分、データ読み出し期間が長くなり、フレームレートが低下する。したがって、この処理時間の増大が許容範囲を越えると処理が破たんするおそれがある。
【００５８】
そこで、画素データのデータ転送と次のラインの画素出力のA/D変換が、所定のデータ読み出し期間（XHS）内に終了するように、上述のデータ転送制御を行うようにするのが望ましい。つまり、シフトレジスタ１８２の駆動の停止は、適切な長さで行われることが求められる。上述のように、読み出し処理部１０７は、シフトレジスタ用クロックHSCCKの供給制御によって、シフトレジスタ１８２の駆動停止だけでなく、再開も容易に制御することができる。つまり、読み出し処理部１０７は、容易に、所望の期間、シフトレジスタ１８２の駆動を停止させることができる。つまり、読み出し処理部１０７は、容易に、処理が破たんしないようにしながら、A/D変換中のセンスアンプの電流変動を容易に抑制することができる。
【００５９】
なお、以上のようなセンスアンプ１５４の電流変動を抑制させる期間（例えばシフトレジスタ１８２の駆動を停止させる期間）は、A/D変換を行う期間の全部であってもよいし、その一部であってもよい。A/D変換を行う期間の少なくとも一部においてセンスアンプ１５４の電流変動を抑制することにより、少なくともその間の、センスアンプ１５４等の電流変動に伴う磁気誘導による画素出力やランプ波への影響を抑制することができる。
【００６０】
ただし、一般的に、撮像画像における横帯状のノイズやシェーディングノイズ等は、暗い画像（画素値が小さい画像）の方が、明るい画像（画素値が大きい画像）よりも視覚的に目立つ可能性が高い。つまり、撮像画像において、横帯状のノイズやシェーディングノイズ等が、比較的明るい領域（画素値が比較的大きな領域）に発生する場合よりも、比較的暗い領域（画素値が比較的小さな領域）に発生する場合の方が、主観画質がより大きく低減する可能性が高い。
【００６１】
したがって、上述のようにA/D変換を行う場合、そのA/D変換を行う期間における、センスアンプ１５４の電流変動が撮像画像の主観画質に及ぼす影響は、一般的に、開始時が最も大きく、時間の経過に応じて小さくなり、終了時が最小となる。
【００６２】
したがって、A/D変換を行う期間の開始タイミングからシフトレジスタ１８２の駆動を停止させるようにしてもよい。このようにすることにより、それ以外のタイミングからシフトレジスタ１８２の駆動を停止させる場合よりも、主観画質の低減を抑制することができる。例えば、読み出し処理部１０７は、A/D変換を行う期間の開始タイミングにおいてシフトレジスタ用クロックHSCCKの供給を停止するようにしてもよい。このようにすることにより、その他のタイミングにおいてシフトレジスタ用クロックHSCCKの供給を停止する場合よりも、主観画質の低減を抑制することができる。
【００６３】
付言するに、例えば、A/D変換を行う期間の一部においてシフトレジスタ１８２の駆動を停止させる場合、そのシフトレジスタ１８２の駆動を停止させる期間を、A/D変換を行う期間のより前の方に、つまり、A/D変換を行う期間の開始タイミングのより近くに設定することにより、主観画質の低減をより抑制することができる。
【００６４】
換言するに、A/D変換を行う期間の終了に近いタイミング程、撮像画像の主観画質への影響は相対的に小さくなる。つまり、例えば画素データのデータ転送と次のラインの画素出力のA/D変換を所定のデータ読み出し期間（XHS）内に終了させる等の為に、A/D変換を行う期間の一部においてシフトレジスタ１８２を駆動させる必要がある場合、そのシフトレジスタ１８２を駆動させる期間を、A/D変換を行う期間のより後の方に、つまり、A/D変換を行う期間の終了タイミングのより近くに設定するようにしてもよい。このようにすることにより、主観画質の低減をより抑制することができる。
【００６５】
なお、以上においては、カラムA/D変換部１０５が相関二重サンプリングの読み出しに対応してリセット期間の画素出力に対するA/D変換と、信号読み出し期間の画素出力に対するA/D変換とを行うように説明した。この場合、上述したように、リセット期間の画素出力に対するA/D変換を行う期間と、信号読み出し期間の画素出力に対するA/D変換を行う期間との両方において、シフトレジスタ１８２の駆動を停止させるようにしてもよい。このようにすることにより、いずれか一方の期間においてのみシフトレジスタ１８２の駆動を停止させる場合よりも、主観画質の低減を抑制することができる。例えば、読み出し処理部１０７は、リセット期間の画素出力に対するA/D変換を行う期間と、信号読み出し期間の画素出力に対するA/D変換を行う期間との両方において、シフトレジスタ用クロックHSCCKの供給を停止するようにしてもよい。このようにすることにより、いずれか一方の期間においてのみシフトレジスタ用クロックHSCCKの供給を停止する場合よりも、主観画質の低減を抑制することができる。
【００６６】
もちろん、この場合も、リセット期間の画素出力に対するA/D変換を行う期間と、信号読み出し期間の画素出力に対するA/D変換を行う期間とのそれぞれにおいて、一部の期間のみ、シフトレジスタ１８２の駆動を停止させるようにしてもよい。
【００６７】
そして、その場合、上述したのと同様の理由により、シフトレジスタ１８２の駆動を停止させる期間を、それぞれのA/D変換を行う期間のより前の方に設定することにより、主観画質の低減をより抑制することができる。例えば、それぞれのA/D変換を行う期間の開始タイミングからシフトレジスタ１８２の駆動を停止させるようにしてもよい。
【００６８】
また、このような相関二重サンプリングの場合、リセット期間の画素出力に対するA/D変換を行う期間のセンスアンプ１５４の電流変動の方が、信号読み出し期間の画素出力に対するA/D変換を行う期間のセンスアンプ１５４の電流変動よりも、撮像画像の主観画質に及ぼす影響が大きい。
【００６９】
したがって、リセット期間の画素出力に対するA/D変換を行う期間を優先的に、シフトレジスタ１８２の駆動を停止させるようにしてもよい。例えば、リセット期間の画素出力に対するA/D変換を行う期間の全部と、信号読み出し期間の画素出力に対するA/D変換を行う期間の一部とにおいて、シフトレジスタ１８２の駆動を停止させるようにしてもよい。このようにすることにより、シフトレジスタ１８２の駆動を停止させる時間の合計時間が同じであっても、リセット期間の画素出力に対するA/D変換を行う期間の一部においてシフトレジスタ１８２を駆動させる場合よりも、撮像画像の主観画質の低減をより抑制することができる。
【００７０】
ただし、その場合、例えば、信号読み出し期間の画素出力に対するA/D変換を行う期間におけるシフトレジスタ１８２の駆動を停止させる期間が極端に短くなると（例えばリセット期間の画素出力に対するA/D変換を行う期間よりも短くなると）、逆に、信号読み出し期間の画素出力に対するA/D変換を行う期間のセンスアンプ１５４の電流変動による撮像画像の主観画質に及ぼす影響が大きくなってしまう可能性がある。
【００７１】
一般的に、リセット期間の画素出力に対するA/D変換を行う期間よりも、信号読み出し期間の画素出力に対するA/D変換を行う期間の方が長い。そこで、例えば、リセット期間の画素出力に対するA/D変換を行う期間の全部と、信号読み出し期間の画素出力に対するA/D変換を行う期間の内の、リセット期間の画素出力に対するA/D変換を行う期間よりも長い期間とにおいて、シフトレジスタの駆動を停止させるようにしてもよい。このようにすることにより、信号読み出し期間の画素出力に対するA/D変換を行う期間のセンスアンプ１５４の電流変動による撮像画像の主観画質に及ぼす影響の増大を抑制しながら、撮像画像の主観画質の低減を抑制することができる。
【００７２】
＜カウント値に基づく制御＞
以上のようなシフトレジスタ用クロックHSCCKの供給制御を行う為に、読み出し処理部１０７が、所定の基準クロックをカウントし、そのカウント値に基づいてシフトレジスタ用クロックHSCCKの供給の停止および再開を行うようにしてもよい。
【００７３】
＜読み出し処理部＞
以上のようにクロックの供給を制御する場合の、読み出し処理部１０７の主な構成例を図５に示す。図５に示されるように、読み出し処理部１０７は、制御部２３１およびデータ処理部２３２を有する。
【００７４】
制御部２３１は、所定のデジタル回路等を有し、データ転送開始通知信号HSTRGやシフトレジスタ用クロックHSCCK等の制御に関する処理を行う。例えば、制御部２３１は、これらの信号のデータ転送部１０６やデータ処理部２３２等への供給を制御する。制御部２３１は、例えば、カウント型クロック制御部２４１およびトリガ信号生成部２４２を有する。
【００７５】
カウント型クロック制御部２４１は、所定のデジタル回路等を有し、シフトレジスタ用クロックHSCCKの供給を制御する。カウント型クロック制御部２４１は、入力されるクロックをカウントし、そのカウント値に基づいて、シフトレジスタ用クロックHSCCK等の供給を制御する。
【００７６】
例えば、カウント型クロック制御部２４１には、矢印２５１に示されるように、シフトレジスタ用クロックHSCCKの供給を停止したり開始したりするカウント値の設定であるカウント数設定が供給される。このカウント数設定は、例えば制御部１０１から供給される。もちろん、このカウント数設定の供給元は任意であり、例えば撮像素子１００の外部から供給されるようにしてもよい。カウント型クロック制御部２４１は、そのカウント数設定を取得し、セットする。
【００７７】
また、カウント型クロック制御部２４１には、矢印２５２に示されるように、基準クロックCLKが制御部１０１から供給される。この基準クロックは汎用のクロックであり任意の処理の基準とすることができる。なお、この基準クロックCLKの供給元は任意であり、例えば撮像素子１００の外部から供給されるようにしてもよい。カウント型クロック制御部２４１は、その基準クロックCLK（のパルス）をカウントし、そのカウント値と、セットしたカウント数設定とに基づいて、シフトレジスタ用クロックHSCCKの供給を制御する。
【００７８】
カウント型クロック制御部２４１は、矢印２５３に示されるように、シフトレジスタ用クロックHSCCKをデータ転送部１０６（シフトレジスタ１８２）に供給する。また、カウント型クロック制御部２４１は、矢印２５５に示されるように、そのシフトレジスタ用クロックHSCCKをデータ処理部２３２（SRAM２４３）にも供給する。
【００７９】
トリガ信号生成部２４２は、所定のデジタル回路等を有し、データ転送の開始のトリガ信号となるデータ転送開始通知信号HSTRGを生成し、矢印２５４に示されるように、それをデータ転送部１０６（シフトレジスタ１８２）に供給する。
【００８０】
なお、例えば、制御部２３１が、CPU、ROM、RAM等を有し、CPUがROM等に記憶されているプログラムやデータをRAMにロードして実行することにより、これらの処理を行う（カウント型クロック制御部２４１やトリガ信号生成部２４２の機能を実現する）ようにしてもよい。
【００８１】
データ処理部２３２は、所定のデジタル回路等を有し、データ転送部１０６から転送される画素データに関する処理を行う。例えば、データ処理部２３２には、矢印２５６に示されるように、データ転送部１０６から転送された画素データが供給される（SAOUT）。データ処理部２３２は、その画素データに対して所定の処理を施し、処理後の画素データを、矢印２５７に示されるように、出力インタフェース部１０８に供給する（SRAMOUT）。なお、この所定の処理は任意である。
【００８２】
例えば、データ処理部２３２は、SRAM（Static Random Access Memory）２４３を有する。SRAM２４３は、データ転送部１０６から転送された画素データを記憶し、所定のタイミングにおいて、その画素データを読み出して出力インタフェース部１０８に供給する。SRAM２４３は、制御部２３１（カウント型クロック制御部２４１）から供給されるシフトレジスタ用クロックHSCCKに基づいて、このような処理を行う。
【００８３】
なお、例えば、データ処理部２３２が、CPU、ROM、RAM等を有し、CPUがROM等に記憶されているプログラムやデータをRAMにロードして実行することにより、これらの処理を行う（SRAM２４３の機能を実現する）ようにしてもよい。
【００８４】
つまり、図５の例の場合、読み出し処理部１０７の制御部２３１（のカウント型クロック制御部２４１）は、所定の基準クロックCLKをカウントし、そのカウント値に基づいてシフトレジスタ用クロックHSCCKの供給の停止および再開を行う。
【００８５】
図６にその制御の様子の例を示す。例えば、所定のタイミングにおいて、カウント型クロック制御部２４１は、基準クロックCLKに同期したシフトレジスタ用クロックHSCCKの供給を開始する。また、カウント型クロック制御部２４１は、基準クロックCLKのカウントを開始する。そして、そのカウント値が、カウント数設定におけるシフトレジスタ用クロックHSCCKの供給停止の値に達した場合、シフトレジスタ用クロックHSCCKの供給を停止する。
【００８６】
カウント型クロック制御部２４１は、その後も、基準クロックCLKのカウントを継続する。そして、そのカウント値が、カウント数設定におけるシフトレジスタ用クロックHSCCKの供給再開の値に達した場合、シフトレジスタ用クロックHSCCKの供給を再開する。
【００８７】
カウント型クロック制御部２４１は、その後も、基準クロックCLKのカウントを継続する。そして、そのカウント値が、カウント数設定におけるシフトレジスタ用クロックHSCCKの供給終了の値に達した場合、シフトレジスタ用クロックHSCCKの供給を終了する。なお、データ読み出し期間が終了すると、カウント値がリセットされる。
【００８８】
以上のように、カウント型クロック制御部２４１は、基準クロックCLKのカウント値に基づいて、シフトレジスタ用クロックHSCCKの供給を制御する。
【００８９】
このようなシフトレジスタ用クロックHSCCKの供給停止や再開の値は、カウント数設定において予め定められている。また、これらの値は任意であるが、所望の制御タイミングに応じて設定される。例えば、上述したようにA/D変換を行う期間においてシフトレジスタ１８２の駆動を停止させる場合、そのA/D変換を行う期間に合わせてシフトレジスタ用クロックHSCCKの供給が停止されるように、カウント数設定においてこれらの値が設定される。
【００９０】
例えば上述した相関二重サンプリングの場合のように、シフトレジスタ用クロックHSCCKの供給を複数回停止したい場合、カウント数設定において、シフトレジスタ用クロックHSCCKの供給停止や再開の値を複数設定すればよい。
【００９１】
換言するに、カウント数設定において、シフトレジスタ用クロックHSCCKの供給停止や再開の値が複数設定されている場合、カウント型クロック制御部２４１は、それぞれの値に基づいて、シフトレジスタ用クロックHSCCKの供給の停止や再開を行う。
【００９２】
以上のように、基準クロックCLKのカウント値に基づいて、シフトレジスタ用クロックHSCCKの供給を制御することにより、容易に、シフトレジスタ１８２の駆動を制御することができる。つまり、容易に主観画質の低減を抑制することができる。
【００９３】
＜データ転送制御処理の流れ＞
読み出し処理部１０７により実行されるデータ転送制御処理の流れの例を図７のフローチャートを参照して説明する。なおここでは、図４を参照して説明したように、画素出力の読み出しにおいて相関二重サンプリングが行われる場合を例に説明する。読み出し処理部１０７は、例えば、各ラインのデータ転送においてこのデータ転送制御処理の各ステップの処理を実行することにより、上述したようなデータ転送制御を実現する。
【００９４】
データ転送制御処理が開始されると、カウント型クロック制御部２４１は、ステップＳ１０１において、カウント数設定をセットし、基準クロックCLKのカウントを開始する。もちろん、そのカウント値はカウントを開始する前に初期化されている。そして、このデータ転送制御処理が終了するまで、このカウントが継続される。
【００９５】
ステップＳ１０２において、カウント型クロック制御部２４１は、基準クロックCLKに同期してシフトレジスタ用クロックHSCCKの供給を開始する。
【００９６】
ステップＳ１０３において、トリガ信号生成部２４２は、データ転送を開始するか否かを判定し、データ転送を開始するタイミングであると判定されるまで、この処理を繰り返す。そして、データ転送を開始するタイミングであると判定された場合、処理はステップＳ１０４に進む。
【００９７】
ステップＳ１０４において、トリガ信号生成部２４２は、データ転送開始通知信号HSTRGとしてパルス（データ転送開始パルス）をデータ転送部１０６（シフトレジスタ１８２）に供給する。
【００９８】
ステップＳ１０５において、カウント型クロック制御部２４１は、基準クロックCLKのカウント値が、カウント数設定において、シフトレジスタ用クロックHSCCKの供給を停止する値として設定された所定の値になったか否かを判定する。カウント値がその所定の値に達したと判定されるまでこのステップＳ１０５の処理が繰り返される。つまり、この間、シフトレジスタ用クロックHSCCKの供給が継続される。
【００９９】
そして、カウント値がその所定の値に達したと判定されると処理はステップＳ１０６に進む。ステップＳ１０６において、カウント型クロック制御部２４１は、シフトレジスタ用クロックHSCCKの供給を停止する。例えば、カウント型クロック制御部２４１は、この所定の値に基づいて、リセット期間の画素出力に対するA/D変換が行われる期間の開始タイミングにおいて、シフトレジスタ用クロックHSCCKの供給を停止する。
【０１００】
ステップＳ１０７において、カウント型クロック制御部２４１は、基準クロックCLKのカウント値が、カウント数設定において、シフトレジスタ用クロックHSCCKの供給を再開する値として設定された所定の値になったか否かを判定する。カウント値がその所定の値に達したと判定されるまでこのステップＳ１０７の処理が繰り返される。つまり、この間、シフトレジスタ用クロックHSCCKの供給は停止されている。
【０１０１】
そして、カウント値がその所定の値に達したと判定されると処理はステップＳ１０８に進む。ステップＳ１０８において、カウント型クロック制御部２４１は、シフトレジスタ用クロックHSCCKの供給を再開する。例えば、カウント型クロック制御部２４１は、この所定の値に基づいて、リセット期間の画素出力に対するA/D変換が行われる期間の終了タイミングにおいて、シフトレジスタ用クロックHSCCKの供給を再開する。
【０１０２】
ステップＳ１０９において、カウント型クロック制御部２４１は、基準クロックCLKのカウント値が、カウント数設定において、シフトレジスタ用クロックHSCCKの供給を停止する値として設定された所定の値になったか否かを判定する。カウント値がその所定の値に達したと判定されるまでこのステップＳ１０９の処理が繰り返される。つまり、この間、シフトレジスタ用クロックHSCCKの供給が継続される。
【０１０３】
そして、カウント値がその所定の値に達したと判定されると処理はステップＳ１１０に進む。ステップＳ１１０において、カウント型クロック制御部２４１は、シフトレジスタ用クロックHSCCKの供給を停止する。例えば、カウント型クロック制御部２４１は、この所定の値に基づいて、信号読み出し期間の画素出力に対するA/D変換が行われる期間の開始タイミングにおいて、シフトレジスタ用クロックHSCCKの供給を停止する。
【０１０４】
ステップＳ１１１において、カウント型クロック制御部２４１は、基準クロックCLKのカウント値が、カウント数設定において、シフトレジスタ用クロックHSCCKの供給を再開する値として設定された所定の値になったか否かを判定する。カウント値がその所定の値に達したと判定されるまでこのステップＳ１１１の処理が繰り返される。つまり、この間、シフトレジスタ用クロックHSCCKの供給は停止されている。
【０１０５】
そして、カウント値がその所定の値に達したと判定されると処理はステップＳ１１２に進む。ステップＳ１１２において、カウント型クロック制御部２４１は、シフトレジスタ用クロックHSCCKの供給を再開する。例えば、カウント型クロック制御部２４１は、この所定の値に基づいて、信号読み出し期間の画素出力に対するA/D変換が行われる期間の途中の所定のタイミングにおいて、シフトレジスタ用クロックHSCCKの供給を再開する。
【０１０６】
ステップＳ１１３において、カウント型クロック制御部２４１は、データ転送制御処理を終了するか否かを判定する。基準クロックCLKのカウント値が、カウント数設定において、シフトレジスタ用クロックHSCCKの供給を終了する値として設定された所定の値に達していないと判定された場合、カウント値がその所定の値に達したと判定されるまでこのステップＳ１１３の処理が繰り返される。つまり、この間、シフトレジスタ用クロックHSCCKの供給が継続される。
【０１０７】
そして、カウント値がその所定の値に達したと判定されると、データ転送制御処理が終了する。つまり、シフトレジスタ用クロックHSCCKの供給が終了する。
【０１０８】
このようにすることにより、読み出し処理部１０７は、A/D変換を行う期間のセンスアンプ１５４の電流変動を抑制するように、シフトレジスタ用クロックの供給を制御することができる。したがって、撮像画像の主観画質の低減を抑制することができる。
【０１０９】
＜３．第２の実施の形態＞
＜イネーブル信号に基づく制御＞
また、読み出し処理部１０７が、所定のイネーブル信号に基づいてシフトレジスタ用クロックHSCCKの供給の停止および再開を行うようにしてもよい。
【０１１０】
＜読み出し処理部＞
この場合の、読み出し処理部１０７の主な構成例を図８に示す。図８に示されるように、この場合の読み出し処理部１０７は、図５の場合と基本的に同様の構成を有する。ただし、制御部２３１は、図５のカウント型クロック制御部２４１の代わりに、イネーブル型クロック制御部３０１を有する。
【０１１１】
イネーブル型クロック制御部３０１は、所定のデジタル回路等を有し、供給されるイネーブル信号に基づいて、シフトレジスタ用クロックHSCCKの供給を制御する。
【０１１２】
例えば、イネーブル型クロック制御部３０１には、矢印３１１に示されるように、シフトレジスタ用クロックHSCCKの供給を制御（許可または禁止）するイネーブル信号が供給される。このイネーブル信号は、例えば制御部１０１から供給される。もちろん、このイネーブル信号の供給元は任意であり、例えば撮像素子１００の外部から供給されるようにしてもよい。イネーブル型クロック制御部３０１は、そのイネーブル信号を取得する。
【０１１３】
また、イネーブル型クロック制御部３０１には、図５の場合と同様に、基準クロックCLKが制御部１０１から供給される（矢印２５２）。イネーブル型クロック制御部３０１は、その基準クロックCLKとイネーブル信号とに基づいて、シフトレジスタ用クロックHSCCKの供給を制御する。
【０１１４】
なお、この場合も、制御部２３１が、CPU、ROM、RAM等を有し、CPUがROM等に記憶されているプログラムやデータをRAMにロードして実行することにより、これらの処理を行う（イネーブル型クロック制御部３０１やトリガ信号生成部２４２の機能を実現する）ようにしてもよい。
【０１１５】
図９にその制御の様子の例を示す。図９に示されるように、イネーブル信号は、HighとLowの２値の信号であり、その値がHighの場合、シフトレジスタ用クロックHSCCKの供給を許可し、その値がLowの場合、シフトレジスタ用クロックHSCCKの供給を禁止する。つまり、イネーブル型クロック制御部３０１は、イネーブル信号の値がHighの期間においてシフトレジスタ用クロックHSCCKを供給し、イネーブル信号の値がLowの期間においてシフトレジスタ用クロックHSCCKの供給を停止する。
【０１１６】
このようなイネーブル信号の値を切り替えるタイミングは任意であるが、所望の制御タイミングに応じて設定される。つまり、シフトレジスタ１８２の駆動を停止させたい所望の期間において、イネーブル信号の値をLowに設定すればよい。例えば、上述したようにA/D変換を行う期間においてシフトレジスタ１８２の駆動を停止させる場合、イネーブル信号の、そのA/D変換を行う期間の値をLowに設定しておけばよい。
【０１１７】
なお、例えば上述した相関二重サンプリングの場合のように、シフトレジスタ用クロックHSCCKの供給を複数回停止したい場合も、各期間のイネーブル信号の値をLowに設定すればよい。換言するに、複数の期間においてイネーブル信号の値がLowに設定されている場合、イネーブル型クロック制御部３０１は、それぞれの期間において、シフトレジスタ用クロックHSCCKの供給を停止する。つまり、シフトレジスタ用クロックHSCCKの供給が複数回停止される。
【０１１８】
以上のように、イネーブル信号の値に基づいて、シフトレジスタ用クロックHSCCKの供給を制御することにより、容易に、シフトレジスタ１８２の駆動を制御することができる。つまり、容易に主観画質の低減を抑制することができる。
【０１１９】
＜データ転送制御処理の流れ＞
この場合の読み出し処理部１０７により実行されるデータ転送制御処理の流れの例を図１０のフローチャートを参照して説明する。
【０１２０】
データ転送制御処理が開始されると、イネーブル型クロック制御部３０１は、ステップＳ２０１において、基準クロックCLKに同期してシフトレジスタ用クロックHSCCKの供給を開始する。
【０１２１】
ステップＳ２０２において、トリガ信号生成部２４２は、データ転送を開始するか否かを判定し、データ転送を開始するタイミングであると判定されるまで、この処理を繰り返す。そして、データ転送を開始するタイミングであると判定された場合、処理はステップＳ２０３に進む。
【０１２２】
ステップＳ２０３において、トリガ信号生成部２４２は、データ転送開始通知信号HSTRGとしてパルス（データ転送開始パルス）をデータ転送部１０６（シフトレジスタ１８２）に供給する。
【０１２３】
ステップＳ２０４において、イネーブル型クロック制御部３０１は、イネーブル信号の値に応じてシフトレジスタ用クロックHSCCKを供給する。つまり、イネーブル型クロック制御部３０１は、イネーブル信号の値がHighの期間においてシフトレジスタ用クロックHSCCKを供給し、イネーブル信号の値がLowの期間においてシフトレジスタ用クロックHSCCKの供給を停止する。このようにして、イネーブル信号に基づいて所望の期間のシフトレジスタ用クロックHSCCKの供給を停止させる。
【０１２４】
ステップＳ２０５において、イネーブル型クロック制御部３０１は、データ転送制御処理を終了するか否かを判定する。シフトレジスタ用クロックHSCCKの供給を終了するタイミングになっていないと判定された場合、処理はステップＳ２０４に戻る。つまり、ステップＳ２０５において、シフトレジスタ用クロックHSCCKの供給を終了するタイミングになったと判定されるまでステップＳ２０４およびステップＳ２０５の処理が繰り返される。つまり、この間、イネーブル信号の値に応じてシフトレジスタ用クロックHSCCKの供給が行われる。
【０１２５】
そして、シフトレジスタ用クロックHSCCKの供給を終了するタイミングになったと判定されると、データ転送制御処理が終了する。つまり、シフトレジスタ用クロックHSCCKの供給が終了する。
【０１２６】
このようにすることにより、読み出し処理部１０７は、A/D変換を行う期間のセンスアンプ１５４の電流変動を抑制するように、シフトレジスタ用クロックの供給を制御することができる。したがって、撮像画像の主観画質の低減を抑制することができる。
【０１２７】
＜４．第３の実施の形態＞
＜リセットによる制御＞
以上においては、シフトレジスタ用クロックHSCCKの供給を制御することによって、シフトレジスタ１８２の駆動を制御する例について説明したが、シフトレジスタ１８２の駆動の制御方法は任意であり、この例に限定されない。例えば、シフトレジスタ１８２をリセットすることにより、シフトレジスタ１８２の駆動を停止させるようにしてもよい。また、その場合、シフトレジスタ１８２に所定のトリガ信号を供給することによりシフトレジスタ１８２の駆動を再開させるようにしてもよい。
【０１２８】
＜Ｈスキャナ＞
その場合のＨスキャナ１５５の一部の構成例を図１１に示す。図１１に示されるように、この場合のシフトレジスタ１８２の各フリップフロップ１９１には、クリア信号CLRが供給される。説明の簡略化の為、図１１においては、フリップフロップ１９１−１乃至フリップフロップ１９１−３の３つのフリップフロップ１９１が示されているが、シフトレジスタ１８２の全てのフリップフロップ１９１に対して、同様に、クリア信号CLRが供給される。
【０１２９】
このクリア信号CLRは、HighまたはLowの２値の信号である。値がHighのクリア信号CLRがフリップフロップ１９１に供給されると、フリップフロップ１９１が初期化される。つまり、シフトレジスタ１８２が初期化され、その駆動が停止する。
【０１３０】
このクリア信号CLRは、例えば、読み出し処理部１０７から供給される。なお、このクリア信号CLRの供給元は任意であり、例えば、制御部１０１から供給されるようにしてもよいし、撮像素子１００の外部から供給されるようにしてもよい。
【０１３１】
また、各フリップフロップ１９１の間には、OR回路４１１が設けられ、Ｈデコーダ１８１から供給されるトリガ信号がそのOR回路４１１を介してフリップフロップ１９１に供給されることができるようになされている。説明の簡略化の為、図１１においては、OR回路４１１−１乃至OR回路４１１−３の３つのOR回路４１１が示されているが、シフトレジスタ１８２の全てのフリップフロップ１９１に対して、同様に、OR回路４１１が設けられ、Ｈデコーダ１８１からのトリガ信号（Ｔ１、Ｔ２、Ｔ３、・・・）が供給されることができるようになされている。
【０１３２】
Ｈデコーダ１８１は、任意のフリップフロップ１９１に対してトリガ信号を供給することができる。つまり、Ｈデコーダ１８１は、シフトレジスタ１８２の駆動を再開させる場合、停止直前の状態から再開されるように、該当するフリップフロップ１９１に対してトリガ信号を供給する。
【０１３３】
つまり、図１２の上から２段目に示されるように、シフトレジスタ１８２の駆動を停止させる場合、クリア信号CLRの値がHighにセットされる。シフトレジスタ１８２の駆動を再開する場合、クリア信号CLRの値がLowにセットされる。
【０１３４】
なお、クリア信号CLRがHighになると、シフトレジスタ１８２の状態は初期化されるので、駆動を停止する直前の状態は、Ｈデコーダ１８１において管理する。すなわち、Ｈデコーダ１８１は、シフトレジスタ１８２の駆動を再開する場合、シフトレジスタ１８２の、動作を再開させる位置に、トリガ信号を供給する。このようにすることにより、シフトレジスタ１８２は、停止する直前の状態から駆動を再開することができる。
【０１３５】
このようなクリア信号CLRの値を切り替えるタイミングやトリガ信号の供給タイミングは任意であるが、所望の制御タイミングに応じて設定される。つまり、シフトレジスタ１８２の駆動を停止させたい所望の期間において、クリア信号CLRの値をHighに設定すればよい。また、その期間の終了タイミングに応じたタイミングにおいて、Ｈデコーダ１８１がシフトレジスタ１８２の適切な位置にトリガ信号を供給するようにすればよい。例えば、上述したようにA/D変換を行う期間においてシフトレジスタ１８２の駆動を停止させる場合、クリア信号CLRの、そのA/D変換を行う期間の値をHighに設定し、駆動を再開させるタイミングに応じたタイミングにおいて、Ｈデコーダ１８１がシフトレジスタ１８２の適切な位置にトリガ信号を供給するようにすればよい。
【０１３６】
なお、例えば上述した相関二重サンプリングの場合のように、シフトレジスタ用クロックHSCCKの供給を複数回停止したい場合も、それぞれの期間について同様に制御すればよい。
【０１３７】
以上のように、シフトレジスタ１８２をリセットすることにより、シフトレジスタ１８２の駆動を制御することができる。つまり、主観画質の低減を抑制することができる。
【０１３８】
＜データ転送制御処理の流れ＞
この場合のデータ転送制御処理の流れの例を図１３のフローチャートを参照して説明する。なおここでは、図４を参照して説明したように、画素出力の読み出しにおいて相関二重サンプリングが行われる場合（各A/D変換を行う期間の全てにおいてシフトレジスタ１８２の駆動を停止する場合）を例に説明する。読み出し処理部１０７は、例えば、各ラインのデータ転送においてこのデータ転送制御処理の各ステップの処理を実行することにより、上述したようなデータ転送制御を実現する。
【０１３９】
データ転送制御処理が開始されると、読み出し処理部１０７の制御部２３１は、ステップＳ３０１において、基準クロックCLKに同期してシフトレジスタ用クロックHSCCKの供給を開始する。
【０１４０】
ステップＳ３０２において、トリガ信号生成部２４２は、データ転送を開始するか否かを判定し、データ転送を開始するタイミングであると判定されるまで、この処理を繰り返す。そして、データ転送を開始するタイミングであると判定された場合、処理はステップＳ３０３に進む。
【０１４１】
ステップＳ３０３において、トリガ信号生成部２４２は、データ転送開始通知信号HSTRGとしてパルス（データ転送開始パルス）をデータ転送部１０６（シフトレジスタ１８２）に供給する。
【０１４２】
ステップＳ３０４において、制御部２３１は、リセット期間（Ｐ相）の画素出力に対するA/D変換の開始タイミングであるか否かを判定する。その開始タイミングであると判定されるまでこのステップＳ３０４の処理が繰り返される。つまり、この間、シフトレジスタ１８２は駆動している。
【０１４３】
そして、リセット期間（Ｐ相）の画素出力に対するA/D変換の開始タイミングであると判定されると処理はステップＳ３０５に進む。ステップＳ３０５において、制御部２３１は、クリア信号CLRの値をHighにセットしてシフトレジスタ１８２をリセットする。これにより、シフトレジスタ１８２の駆動が停止する。
【０１４４】
ステップＳ３０６において、制御部２３１は、リセット期間（Ｐ相）の画素出力に対するA/D変換の終了タイミングであるか否かを判定する。その終了タイミングであると判定されるまでこのステップＳ３０６の処理が繰り返される。つまり、この間、シフトレジスタ１８２の駆動は停止されている。
【０１４５】
そして、リセット期間（Ｐ相）の画素出力に対するA/D変換の終了タイミングであると判定されると処理はステップＳ３０７に進む。ステップＳ３０７において、制御部２３１は、クリア信号CLRの値をLowにセットしてシフトレジスタ１８２の駆動を許可する。また、Ｈデコーダ１８１は、シフトレジスタ１８２の動作再開位置にトリガ信号を供給する。これにより、シフトレジスタ１８２は、停止直前の状態から駆動を再開する。
【０１４６】
ステップＳ３０８において、制御部２３１は、信号読み出し期間（Ｄ相）の画素出力に対するA/D変換の開始タイミングであるか否かを判定する。その開始タイミングであると判定されるまでこのステップＳ３０８の処理が繰り返される。つまり、この間、シフトレジスタ１８２は駆動している。
【０１４７】
そして、信号読み出し期間（Ｄ相）の画素出力に対するA/D変換の開始タイミングであると判定されると処理はステップＳ３０９に進む。ステップＳ３０９において、制御部２３１は、クリア信号CLRの値をHighにセットしてシフトレジスタ１８２をリセットする。これにより、シフトレジスタ１８２の駆動が停止する。
【０１４８】
ステップＳ３１０において、制御部２３１は、信号読み出し期間（Ｄ相）の画素出力に対するA/D変換の終了タイミングであるか否かを判定する。その終了タイミングであると判定されるまでこのステップＳ３１０の処理が繰り返される。つまり、この間、シフトレジスタ１８２の駆動は停止されている。
【０１４９】
そして、信号読み出し期間（Ｄ相）の画素出力に対するA/D変換の終了タイミングであると判定されると処理はステップＳ３１１に進む。ステップＳ３１１において、制御部２３１は、クリア信号CLRの値をLowにセットしてシフトレジスタ１８２の駆動を許可する。また、Ｈデコーダ１８１は、シフトレジスタ１８２の動作再開位置にトリガ信号を供給する。これにより、シフトレジスタ１８２は、停止直前の状態から駆動を再開する。
【０１５０】
ステップＳ３１２において、制御部２３１は、データ転送制御処理を終了するか否かを判定する。データ転送が終了しておらず、シフトレジスタ１８２の駆動を終了させるタイミングでないと判定された場合、データ転送が終了したと判定されるまでこのステップＳ３１２の処理が繰り返される。つまり、この間、シフトレジスタ１８２は駆動している。
【０１５１】
そして、データ転送が終了したと判定されると、データ転送制御処理が終了する。つまり、シフトレジスタ１８２の駆動が終了する。
【０１５２】
このようにすることにより、読み出し処理部１０７は、A/D変換を行う期間のセンスアンプ１５４の電流変動を抑制するように、シフトレジスタ１８２の駆動を制御することができる。したがって、撮像画像の主観画質の低減を抑制することができる。
【０１５３】
以上のようにシフトレジスタ１８２をリセットする場合、単にクリア信号を供給するだけでなく、シフトレジスタ１８２の駆動を停止する直前の状態の管理が必要になり、再開時にトリガ信号を適切に供給する必要がある。
【０１５４】
これに対して、第１の実施の形態や第２の実施の形態のようにシフトレジスタ用クロックHSCCKの供給を制御する方が、より容易に、シフトレジスタ１８２の駆動を制御することができる。
【０１５５】
＜５．第４の実施の形態＞
＜その他によるデータ転送制御＞
なお、A/D変換中のセンスアンプの電流変動を抑制する方法は、上述の例に限定されない。例えば、データ転送の開始タイミングを遅らせて、A/D変換中にデータ転送が終了しないようにしてもよい。このようにすることにより、データ転送終了によるセンスアンプ１５４の大幅な電流変動がA/D変換中に発生することを抑制することができる。
【０１５６】
ただしこの方法の場合、データ転送中のセンスアンプ１５４の緩やかな電流変動による影響を抑制することができない。従って、第１の実施の形態乃至第３の実施の形態において説明した方法の方が、この方法よりも、より確実にセンスアンプ１５４の電流変動を抑制することができ、撮像画像の主観画質の低減をより抑制することができる。
【０１５７】
また、不要なデータ転送動作を行うことにより、A/D変換中にデータ転送が終了しないようにしてもよい。このようにすることにより、データ転送終了によるセンスアンプ１５４の大幅な電流変動がA/D変換中に発生することを抑制することができる。
【０１５８】
ただしこの方法の場合も、データ転送中のセンスアンプ１５４の緩やかな電流変動による影響を抑制することができない。従って、第１の実施の形態乃至第３の実施の形態において説明した方法の方が、この方法よりも、より確実にセンスアンプ１５４の電流変動を抑制することができ、撮像画像の主観画質の低減をより抑制することができる。
【０１５９】
なお、これらの方法において、さらに、データ転送中のセンスアンプ１５４の緩やかな電流変動を抑制する機能を追加するようにしてもよい。しかしながら、その場合、構成や処理がより複雑になり、回路規模やコストが増大するおそれがある。従って、第１の実施の形態乃至第３の実施の形態において説明した方法の方が、この方法よりも、より容易にセンスアンプ１５４の電流変動を抑制することができ、撮像画像の主観画質の低減をより抑制することができる。
【０１６０】
また、シフトレジスタ１８２に、駆動を中断するための専用の機能を追加するようにしてもよい。しかしながら、その場合、構成や処理がより複雑になり、回路規模やコストが増大するおそれがある。従って、第１の実施の形態乃至第３の実施の形態において説明した方法の方が、この方法よりも、より容易にセンスアンプ１５４の電流変動を抑制することができ、撮像画像の主観画質の低減をより抑制することができる。
【０１６１】
＜その他の構成＞
以上においては、画素アレイ部１０２より１行ずつ画素出力が読み出されるように説明したが、画素出力の読み出し順は任意である。また、以上においては、カラムA/D変換部１０５が１行ずつ各カラムの画素出力をA/D変換するように説明したが、A/D変換の構成は任意であり、画素アレイ部１０２より読み出された各画素出力がどのような順でA/D変換されるようにしてもよい。例えば、各カラムに対してA/D変換部が複数設けられるようにし、その複数のA/D変換部によって画素出力がA/D変換されるようにしてもよい。また、例えば、複数のカラムで１つのA/D変換部を共有するようにしてもよい。
【０１６２】
また、例えば、撮像素子１００に１つのA/D変換部が設けられ、そのA/D変換部によって１画素ずつ画素出力がA/D変換されるようにしてもよい。また、例えば、画素アレイ部１０２のライン毎にA/D変換部が設けられ、各A/D変換部により、１カラムずつ画素出力がA/D変換されるようにしてもよい。また、例えば、画素アレイ部１０２の所定のエリア毎にA/D変換部が設けられ、各A/D変換部により、各エリアの画素出力がA/D変換されるようにしてもよい。
【０１６３】
また、以上においては、画素データがライン毎にセンスアンプ１５４に転送されるように説明したが、画素データの転送は、例えばカラム毎や領域毎等、任意の単位で行われるようにしてもよい。また、以上においてはセンスアンプ１５４の電流変動を抑制する点について説明したが、データ転送に起因する電流変動によるA/D変換結果への影響を抑制することができればよいので、本技術による電流変動の抑制対象はセンスアンプ１５４に限定されない。つまり、本技術による電流変動の抑制対象は、データ転送に起因するものであればセンスアンプ１５４以外のものも含む。
【０１６４】
また、図２に示される撮像素子１００の構成は、１枚の半導体意基板（以下、単に基板と称する）上に形成されるようにしてもよいし、複数の基板上に形成されるようにしてもよい。この構成が複数の基板上に形成される場合、図２に示される各構成がどのように各基板に配置されるようにしてもよい。
【０１６５】
例えば、読み出し処理部１０７が１つの基板上に配置され、その他の構成は他の基板上に配置されるようにしてもよい。また、読み出し処理部１０７と制御部１０１とが１つの基板上に配置され、その他の構成は他の基板上に配置されるようにしてもよい。また、読み出し処理部１０７とデータ転送部１０６とが１つの基板上に配置され、その他の構成は他の基板上に配置されるようにしてもよい。もちろん、これら以外の組み合わせであってもよい。
【０１６６】
また、図２に示される撮像素子１００の構成が複数の基板上に形成される場合、全ての基板を含む１つのチップ（例えばモールド封止等が施されて一体化されたもの）として構成されるようにしてもよいし、互いに異なる基板を含む複数のチップとして構成されるようにしてもよい。
【０１６７】
例えば、複数の基板が互いに積層されてビア等を介して各基板の回路が互いに接続された１つのチップとして構成されるようにしてもよい。また、複数のチップをモジュール化したものであってもよい。
【０１６８】
＜６．第５の実施の形態＞
＜撮像装置＞
なお、本技術は、撮像素子以外にも適用することができる。例えば、撮像装置のような、撮像素子を有する装置（電子機器等）に本技術を適用するようにしてもよい。図１４は、本技術を適用した電子機器の一例としての撮像装置の主な構成例を示すブロック図である。図１４に示される撮像装置６００は、被写体を撮像し、その被写体の画像を電気信号として出力する装置である。
【０１６９】
図１４に示されるように撮像装置６００は、光学部６１１、CMOSイメージセンサ６１２、画像処理部６１３、表示部６１４、コーデック処理部６１５、記憶部６１６、出力部６１７、通信部６１８、制御部６２１、操作部６２２、およびドライブ６２３を有する。
【０１７０】
光学部６１１は、被写体までの焦点を調整し、焦点が合った位置からの光を集光するレンズ、露出を調整する絞り、および、撮像のタイミングを制御するシャッタ等よりなる。光学部６１１は、被写体からの光（入射光）を透過し、CMOSイメージセンサ６１２に供給する。
【０１７１】
CMOSイメージセンサ６１２は、入射光を光電変換して画素毎の信号（画素信号）をA/D変換し、CDS等の信号処理を行い、処理後の撮像画像データを画像処理部６１３に供給する。
【０１７２】
画像処理部６１３は、CMOSイメージセンサ６１２により得られた撮像画像データを画像処理する。より具体的には、画像処理部６１３は、CMOSイメージセンサ６１２から供給された撮像画像データに対して、例えば、混色補正や、黒レベル補正、ホワイトバランス調整、デモザイク処理、マトリックス処理、ガンマ補正、およびYC変換等の各種画像処理を施す。画像処理部６１３は、画像処理を施した撮像画像データを表示部６１４に供給する。
【０１７３】
表示部６１４は、例えば、液晶ディスプレイ等として構成され、画像処理部６１３から供給された撮像画像データの画像（例えば、被写体の画像）を表示する。
【０１７４】
画像処理部６１３は、さらに、画像処理を施した撮像画像データを、必要に応じて、コーデック処理部６１５に供給する。
【０１７５】
コーデック処理部６１５は、画像処理部６１３から供給された撮像画像データに対して、所定の方式の符号化処理を施し、得られた符号化データを記憶部６１６に供給する。また、コーデック処理部６１５は、記憶部６１６に記録されている符号化データを読み出し、復号して復号画像データを生成し、その復号画像データを画像処理部６１３に供給する。
【０１７６】
画像処理部６１３は、コーデック処理部６１５から供給される復号画像データに対して所定の画像処理を施す。画像処理部６１３は、画像処理を施した復号画像データを表示部６１４に供給する。表示部６１４は、例えば、液晶ディスプレイ等として構成され、画像処理部６１３から供給された復号画像データの画像を表示する。
【０１７７】
また、コーデック処理部６１５は、画像処理部６１３から供給された撮像画像データを符号化した符号化データ、または、記憶部６１６から読み出した撮像画像データの符号化データを出力部６１７に供給し、撮像装置６００の外部に出力させるようにしてもよい。また、コーデック処理部６１５は、符号化前の撮像画像データ、若しくは、記憶部６１６から読み出した符号化データを復号して得られた復号画像データを出力部６１７に供給し、撮像装置６００の外部に出力させるようにしてもよい。
【０１７８】
さらに、コーデック処理部６１５は、撮像画像データ、撮像画像データの符号化データ、または、復号画像データを、通信部６１８を介して他の装置に伝送させるようにしてもよい。また、コーデック処理部６１５は、撮像画像データや画像データの符号化データを、通信部６１８を介して取得するようにしてもよい。コーデック処理部６１５は、通信部６１８を介して取得した撮像画像データや画像データの符号化データに対して、適宜、符号化や復号等を行う。コーデック処理部６１５は、得られた画像データ若しくは符号化データを、上述したように、画像処理部６１３に供給したり、記憶部６１６、出力部６１７、および通信部６１８に出力するようにしてもよい。
【０１７９】
記憶部６１６は、コーデック処理部６１５から供給される符号化データ等を記憶する。記憶部６１６に格納された符号化データは、必要に応じてコーデック処理部６１５に読み出されて復号される。復号処理により得られた撮像画像データは、表示部６１４に供給され、その撮像画像データに対応する撮像画像が表示される。
【０１８０】
出力部６１７は、外部出力端子等の外部出力インターフェイスを有し、コーデック処理部６１５を介して供給される各種データを、その外部出力インターフェイスを介して撮像装置６００の外部に出力する。
【０１８１】
通信部６１８は、コーデック処理部６１５から供給される画像データや符号化データ等の各種情報を、所定の通信（有線通信若しくは無線通信）の通信相手である他の装置に供給する。また、通信部６１８は、所定の通信（有線通信若しくは無線通信）の通信相手である他の装置から、画像データや符号化データ等の各種情報を取得し、それをコーデック処理部６１５に供給する。
【０１８２】
制御部６２１は、所定のデジタル回路等を有し、撮像装置６００の各処理部（点線６２０内に示される各処理部、操作部６２２、並びに、ドライブ６２３）の動作の制御に関する処理を行う。なお、制御部６２１が、例えば、CPU、ROM、RAM等を有し、そのCPUがROM等よりRAMにロードされたプログラムやデータを実行することにより、そのような制御に関する各種処理を行うようにしてもよい。
【０１８３】
操作部６２２は、例えば、ジョグダイヤル（商標）、キー、ボタン、またはタッチパネル等の任意の入力デバイスにより構成され、例えばユーザ等による操作入力を受け、その操作入力に対応する信号を制御部６２１に供給する。
【０１８４】
ドライブ６２３は、自身に装着された、例えば、磁気ディスク、光ディスク、光磁気ディスク、または半導体メモリなどのリムーバブルメディア６２４に記憶されている情報を読み出す。ドライブ６２３は、リムーバブルメディア６２４からプログラムやデータ等の各種情報を読み出し、それを制御部６２１に供給する。また、ドライブ６２３は、書き込み可能なリムーバブルメディア６２４が自身に装着された場合、制御部６２１を介して供給される、例えば画像データや符号化データ等の各種情報を、そのリムーバブルメディア６２４に記憶させる。
【０１８５】
以上のような撮像装置６００のCMOSイメージセンサ６１２として、各実施の形態において上述した本技術を適用する。すなわち、CMOSイメージセンサ６１２として、上述した撮像素子１００が用いられる。これにより、CMOSイメージセンサ６１２は、撮像画像の画質の低減を抑制することができる。したがって撮像装置６００は、被写体を撮像することにより、より高画質な撮像画像を得ることができる。
【０１８６】
＜７．移動体への応用例＞
本開示に係る技術（本技術）は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【０１８７】
図１５は、本開示に係る技術が適用され得る移動体制御システムの一例である車両制御システムの概略的な構成例を示すブロック図である。
【０１８８】
車両制御システム１２０００は、通信ネットワーク１２００１を介して接続された複数の電子制御ユニットを備える。図１５に示した例では、車両制御システム１２０００は、駆動系制御ユニット１２０１０、ボディ系制御ユニット１２０２０、車外情報検出ユニット１２０３０、車内情報検出ユニット１２０４０、及び統合制御ユニット１２０５０を備える。また、統合制御ユニット１２０５０の機能構成として、マイクロコンピュータ１２０５１、音声画像出力部１２０５２、及び車載ネットワークＩ／Ｆ（ｉｎｔｅｒｆａｃｅ）１２０５３が図示されている。
【０１８９】
駆動系制御ユニット１２０１０は、各種プログラムにしたがって車両の駆動系に関連する装置の動作を制御する。例えば、駆動系制御ユニット１２０１０は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【０１９０】
ボディ系制御ユニット１２０２０は、各種プログラムにしたがって車体に装備された各種装置の動作を制御する。例えば、ボディ系制御ユニット１２０２０は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット１２０２０には、鍵を代替する携帯機から発信される電波又は各種スイッチの信号が入力され得る。ボディ系制御ユニット１２０２０は、これらの電波又は信号の入力を受け付け、車両のドアロック装置、パワーウィンドウ装置、ランプ等を制御する。
【０１９１】
車外情報検出ユニット１２０３０は、車両制御システム１２０００を搭載した車両の外部の情報を検出する。例えば、車外情報検出ユニット１２０３０には、撮像部１２０３１が接続される。車外情報検出ユニット１２０３０は、撮像部１２０３１に車外の画像を撮像させるとともに、撮像された画像を受信する。車外情報検出ユニット１２０３０は、受信した画像に基づいて、人、車、障害物、標識又は路面上の文字等の物体検出処理又は距離検出処理を行ってもよい。
【０１９２】
撮像部１２０３１は、光を受光し、その光の受光量に応じた電気信号を出力する光センサである。撮像部１２０３１は、電気信号を画像として出力することもできるし、測距の情報として出力することもできる。また、撮像部１２０３１が受光する光は、可視光であっても良いし、赤外線等の非可視光であっても良い。
【０１９３】
車内情報検出ユニット１２０４０は、車内の情報を検出する。車内情報検出ユニット１２０４０には、例えば、運転者の状態を検出する運転者状態検出部１２０４１が接続される。運転者状態検出部１２０４１は、例えば運転者を撮像するカメラを含み、車内情報検出ユニット１２０４０は、運転者状態検出部１２０４１から入力される検出情報に基づいて、運転者の疲労度合い又は集中度合いを算出してもよいし、運転者が居眠りをしていないかを判別してもよい。
【０１９４】
マイクロコンピュータ１２０５１は、車外情報検出ユニット１２０３０又は車内情報検出ユニット１２０４０で取得される車内外の情報に基づいて、駆動力発生装置、ステアリング機構又は制動装置の制御目標値を演算し、駆動系制御ユニット１２０１０に対して制御指令を出力することができる。例えば、マイクロコンピュータ１２０５１は、車両の衝突回避あるいは衝撃緩和、車間距離に基づく追従走行、車速維持走行、車両の衝突警告、又は車両のレーン逸脱警告等を含むＡＤＡＳ（Ａｄｖａｎｃｅｄ  Ｄｒｉｖｅｒ  Ａｓｓｉｓｔａｎｃｅ  Ｓｙｓｔｅｍ）の機能実現を目的とした協調制御を行うことができる。
【０１９５】
また、マイクロコンピュータ１２０５１は、車外情報検出ユニット１２０３０又は車内情報検出ユニット１２０４０で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【０１９６】
また、マイクロコンピュータ１２０５１は、車外情報検出ユニット１２０３０で取得される車外の情報に基づいて、ボディ系制御ユニット１２０２０に対して制御指令を出力することができる。例えば、マイクロコンピュータ１２０５１は、車外情報検出ユニット１２０３０で検知した先行車又は対向車の位置に応じてヘッドランプを制御し、ハイビームをロービームに切り替える等の防眩を図ることを目的とした協調制御を行うことができる。
【０１９７】
音声画像出力部１２０５２は、車両の搭乗者又は車外に対して、視覚的又は聴覚的に情報を通知することが可能な出力装置へ音声及び画像のうちの少なくとも一方の出力信号を送信する。図１５の例では、出力装置として、オーディオスピーカ１２０６１、表示部１２０６２及びインストルメントパネル１２０６３が例示されている。表示部１２０６２は、例えば、オンボードディスプレイ及びヘッドアップディスプレイの少なくとも一つを含んでいてもよい。
【０１９８】
図１６は、撮像部１２０３１の設置位置の例を示す図である。
【０１９９】
図１６では、車両１２１００は、撮像部１２０３１として、撮像部１２１０１，１２１０２，１２１０３，１２１０４，１２１０５を有する。
【０２００】
撮像部１２１０１，１２１０２，１２１０３，１２１０４，１２１０５は、例えば、車両１２１００のフロントノーズ、サイドミラー、リアバンパ、バックドア及び車室内のフロントガラスの上部等の位置に設けられる。フロントノーズに備えられる撮像部１２１０１及び車室内のフロントガラスの上部に備えられる撮像部１２１０５は、主として車両１２１００の前方の画像を取得する。サイドミラーに備えられる撮像部１２１０２，１２１０３は、主として車両１２１００の側方の画像を取得する。リアバンパ又はバックドアに備えられる撮像部１２１０４は、主として車両１２１００の後方の画像を取得する。撮像部１２１０１及び１２１０５で取得される前方の画像は、主として先行車両又は、歩行者、障害物、信号機、交通標識又は車線等の検出に用いられる。
【０２０１】
なお、図１６には、撮像部１２１０１ないし１２１０４の撮影範囲の一例が示されている。撮像範囲１２１１１は、フロントノーズに設けられた撮像部１２１０１の撮像範囲を示し、撮像範囲１２１１２，１２１１３は、それぞれサイドミラーに設けられた撮像部１２１０２，１２１０３の撮像範囲を示し、撮像範囲１２１１４は、リアバンパ又はバックドアに設けられた撮像部１２１０４の撮像範囲を示す。例えば、撮像部１２１０１ないし１２１０４で撮像された画像データが重ね合わせられることにより、車両１２１００を上方から見た俯瞰画像が得られる。
【０２０２】
撮像部１２１０１ないし１２１０４の少なくとも１つは、距離情報を取得する機能を有していてもよい。例えば、撮像部１２１０１ないし１２１０４の少なくとも１つは、複数の撮像素子からなるステレオカメラであってもよいし、位相差検出用の画素を有する撮像素子であってもよい。
【０２０３】
例えば、マイクロコンピュータ１２０５１は、撮像部１２１０１ないし１２１０４から得られた距離情報を基に、撮像範囲１２１１１ないし１２１１４内における各立体物までの距離と、この距離の時間的変化（車両１２１００に対する相対速度）を求めることにより、特に車両１２１００の進行路上にある最も近い立体物で、車両１２１００と略同じ方向に所定の速度（例えば、０ｋｍ／ｈ以上）で走行する立体物を先行車として抽出することができる。さらに、マイクロコンピュータ１２０５１は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０２０４】
例えば、マイクロコンピュータ１２０５１は、撮像部１２１０１ないし１２１０４から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ１２０５１は、車両１２１００の周辺の障害物を、車両１２１００のドライバが視認可能な障害物と視認困難な障害物とに識別する。そして、マイクロコンピュータ１２０５１は、各障害物との衝突の危険度を示す衝突リスクを判断し、衝突リスクが設定値以上で衝突可能性がある状況であるときには、オーディオスピーカ１２０６１や表示部１２０６２を介してドライバに警報を出力することや、駆動系制御ユニット１２０１０を介して強制減速や回避操舵を行うことで、衝突回避のための運転支援を行うことができる。
【０２０５】
撮像部１２１０１ないし１２１０４の少なくとも１つは、赤外線を検出する赤外線カメラであってもよい。例えば、マイクロコンピュータ１２０５１は、撮像部１２１０１ないし１２１０４の撮像画像中に歩行者が存在するか否かを判定することで歩行者を認識することができる。かかる歩行者の認識は、例えば赤外線カメラとしての撮像部１２１０１ないし１２１０４の撮像画像における特徴点を抽出する手順と、物体の輪郭を示す一連の特徴点にパターンマッチング処理を行って歩行者か否かを判別する手順によって行われる。マイクロコンピュータ１２０５１が、撮像部１２１０１ないし１２１０４の撮像画像中に歩行者が存在すると判定し、歩行者を認識すると、音声画像出力部１２０５２は、当該認識された歩行者に強調のための方形輪郭線を重畳表示するように、表示部１２０６２を制御する。また、音声画像出力部１２０５２は、歩行者を示すアイコン等を所望の位置に表示するように表示部１２０６２を制御してもよい。
【０２０６】
以上、本開示に係る技術が適用され得る車両制御システムの一例について説明した。本開示に係る技術は、以上説明した構成のうち、撮像部１２０３１に適用され得る。具体的には、図２の撮像素子１００または図１４の撮像装置６００は、撮像部１２０３１に適用することができる。撮像部１２０３１に本開示に係る技術を適用することにより、主観画質の低減を抑制し、より高画質な撮像画像を得ることができるため、車外情報検出ユニット１２０３０は、人、車、障害物、標識又は路面上の文字等の物体検出や距離検出等の処理をより高精度に行うことができる。これにより、マイクロコンピュータ１２０５１はＡＤＡＳの機能実現や自動運転等を目的とした協調制御や、ハイビームをロービームに切り替える等の防眩を図ることを目的とした協調制御等をより高精度に行うことができる。
【０２０７】
＜８．その他＞
＜ソフトウエア＞
上述した一連の処理は、ハードウエアにより実行させることもできるし、ソフトウエアにより実行させることもできる。また、一部の処理をハードウエアにより実行させ、他の処理をソフトウエアにより実行させることもできる。一連の処理をソフトウエアにより実行する場合には、そのソフトウエアを構成するプログラムやデータがインストールされる。
【０２０８】
例えば、図１４の撮像装置６００の場合、このプログラムやデータは、パッケージメディア等としてのリムーバブルメディア６２４に記録して適用することができる。その場合、そのプログラムやデータは、リムーバブルメディア６２４をドライブ６２３に装着することにより、制御部６２１に制御されて、制御部６２１やCMOSイメージセンサ６１２（撮像素子１００の制御部１０１や読み出し処理部１０７等）にインストールすることができる。
【０２０９】
また、このプログラムやデータは、ローカルエリアネットワーク、インターネット、デジタル衛星放送といった、有線または無線の伝送媒体を介して提供することもできる。その場合、そのプログラムやデータは、通信部６１８により受信され、制御部６２１やCMOSイメージセンサ６１２にインストールすることができる。
【０２１０】
さらに、このプログラムやデータは、制御部６２１やCMOSイメージセンサ６１２のROM等に、あらかじめインストールしておくこともできる。
【０２１１】
＜補足＞
本技術の実施の形態は、上述した実施の形態に限定されるものではなく、本技術の要旨を逸脱しない範囲において種々の変更が可能である。
【０２１２】
例えば、本技術は、装置またはシステムを構成するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等（すなわち、装置の一部の構成）として実施することもできる。
【０２１３】
なお、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２１４】
また、上述した処理部は、その処理部について説明した機能を有するようにすれば、どのような構成により実現するようにしてもよい。例えば、処理部が、任意の回路、LSI、システムLSI、プロセッサ、モジュール、ユニット、セット、デバイス、装置、またはシステム等により構成されるようにしてもよい。また、それらを複数組み合わせるようにしてもよい。例えば、複数の回路、複数のプロセッサ等のように同じ種類の構成を組み合わせるようにしてもよいし、回路とLSI等のように異なる種類の構成を組み合わせるようにしてもよい。
【０２１５】
また、例えば、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０２１６】
また、例えば、本技術は、１つの機能を、ネットワークを介して複数の装置で分担、共同して処理するクラウドコンピューティングの構成をとることができる。
【０２１７】
また、例えば、上述したプログラムは、任意の装置において実行することができる。その場合、その装置が、必要な機能（機能ブロック等）を有し、必要な情報を得ることができるようにすればよい。
【０２１８】
また、例えば、上述のフローチャートで説明した各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。換言するに、１つのステップに含まれる複数の処理を、複数のステップの処理として実行することもできる。逆に、複数のステップとして説明した処理を１つのステップとしてまとめて実行することもできる。
【０２１９】
コンピュータが実行するプログラムは、プログラムを記述するステップの処理が、本明細書で説明する順序に沿って時系列に実行されるようにしても良いし、並列に、あるいは呼び出しが行われたとき等の必要なタイミングで個別に実行されるようにしても良い。つまり、矛盾が生じない限り、各ステップの処理が上述した順序と異なる順序で実行されるようにしてもよい。さらに、このプログラムを記述するステップの処理が、他のプログラムの処理と並列に実行されるようにしても良いし、他のプログラムの処理と組み合わせて実行されるようにしても良い。
【０２２０】
本明細書において複数説明した本技術は、矛盾が生じない限り、それぞれ独立に単体で実施することができる。もちろん、任意の複数の本技術を併用して実施することもできる。例えば、いずれかの実施の形態において説明した本技術の一部または全部を、他の実施の形態において説明した本技術の一部または全部と組み合わせて実施することもできる。また、上述した任意の本技術の一部または全部を、上述していない他の技術と併用して実施することもできる。
【０２２１】
なお、本技術は以下のような構成も取ることができる。
（１）  アナログ信号の画素出力に対するA/D変換を行う期間の一部または全部において、前記A/D変換により得られるデジタルデータの画素データの転送を制御するシフトレジスタの駆動を停止させる制御部
を備える信号処理装置。
（２）  前記制御部は、前記A/D変換を行う期間の開始タイミングから前記シフトレジスタの駆動を停止させる
（１）に記載の信号処理装置。
（３）  前記制御部は、相関二重サンプリングのリセット期間の画素出力に対するA/D変換を行う期間、並びに、前記相関二重サンプリングの信号読み出し期間の画素出力に対するA/D変換を行う期間の一部または全部において、前記シフトレジスタの駆動を停止させる
（２）に記載の信号処理装置。
（４）  前記制御部は、前記リセット期間の画素出力に対するA/D変換を行う期間の全部と、前記信号読み出し期間の画素出力に対するA/D変換を行う期間の内の、前記リセット期間の画素出力に対するA/D変換を行う期間よりも長い期間とにおいて、前記シフトレジスタの駆動を停止させる
（３）に記載の信号処理装置。
（５）  前記シフトレジスタは、前記画素データを保持する保持部と、前記保持部から読み出された前記画素データを電流から電圧に変換するセンスアンプとの駆動を制御することにより、前記画素データの転送を制御する
（１）乃至（４）のいずれかに記載の信号処理装置。
（６）  前記制御部は、前記シフトレジスタを駆動させるシフトレジスタ用クロックの供給を停止することにより前記シフトレジスタの駆動を停止させ、前記シフトレジスタ用クロックの供給を再開することにより前記シフトレジスタの駆動を再開させる
（５）に記載の信号処理装置。
（７）  前記制御部は、所定の基準クロックをカウントし、そのカウント値に基づいて前記シフトレジスタ用クロックの供給の停止および再開を行う
（６）に記載の信号処理装置。
（８）  前記制御部は、イネーブル信号に基づいて前記シフトレジスタ用クロックの供給の停止および再開を行う
（６）または（７）に記載の信号処理装置。
（９）  前記制御部は、前記シフトレジスタを初期化することにより前記シフトレジスタの駆動を停止させ、前記シフトレジスタにトリガ信号を供給することにより前記シフトレジスタの駆動を再開させる
（５）乃至（８）のいずれかに記載の信号処理装置。
（１０）  前記制御部は、前記シフトレジスタの駆動を再開させる場合、前記シフトレジスタの、動作を再開させる位置に、前記トリガ信号を供給する
（９）に記載の信号処理装置。
（１１）  前記シフトレジスタをさらに備える
（５）乃至（１０）のいずれかに記載の信号処理装置。
（１２）  前記保持部と、
前記センスアンプと
をさらに備える（１１）に記載の信号処理装置。
（１３）  アナログ信号の画素出力に対するA/D変換を行う期間の一部または全部において、前記A/D変換により得られるデジタルデータの画素データの転送を制御するシフトレジスタの駆動を停止させる
信号処理方法。
（１４）  それぞれが入射光を光電変換する構成を有する複数の画素からなる画素アレイと、
前記画素アレイから得られるアナログ信号の画素出力をA/D変換するA/D変換部と、
前記A/D変換部により前記画素出力がA/D変換されて得られるデジタルデータの画素データを保持する保持部と、
前記保持部から読み出された前記画素データを電流から電圧に変換するセンスアンプと、
前記保持部と前記センスアンプとの駆動を制御することにより、前記画素データの転送を制御するシフトレジスタと、
前記A/D変換部による前記画素出力に対するA/D変換を行う期間の一部または全部において、前記シフトレジスタの駆動を停止させる制御部と
を備える撮像素子。
（１５）  前記制御部は、前記A/D変換部による前記画素出力に対する前記A/D変換を行う期間の開始タイミングから前記シフトレジスタの駆動を停止させる
（１４）に記載の撮像素子。
（１６）  前記制御部は、前記A/D変換部による、相関二重サンプリングのリセット期間の画素出力に対するA/D変換を行う期間、並びに、前記相関二重サンプリングの信号読み出し期間の画素出力に対するA/D変換を行う期間の一部または全部において、前記シフトレジスタの駆動を停止させる
（１５）に記載の撮像素子。
（１７）  前記制御部は、所定の基準クロックをカウントし、そのカウント値に基づいて、前記シフトレジスタを駆動させるシフトレジスタ用クロックの供給を停止することにより前記シフトレジスタの駆動を停止させ、前記シフトレジスタ用クロックの供給を再開することにより前記シフトレジスタの駆動を再開させる
（１４）乃至（１６）のいずれかに記載の撮像素子。
（１８）  前記制御部は、イネーブル信号に基づいて、前記シフトレジスタを駆動させるシフトレジスタ用クロックの供給を停止することにより前記シフトレジスタの駆動を停止させ、前記シフトレジスタ用クロックの供給を再開することにより前記シフトレジスタの駆動を再開させる
（１４）乃至（１７）のいずれかに記載の撮像素子。
（１９）  前記制御部は、前記シフトレジスタを初期化することにより前記シフトレジスタの駆動を停止させ、前記シフトレジスタにトリガ信号を供給することにより前記シフトレジスタの駆動を再開させる
（１４）乃至（１８）のいずれかに記載の撮像素子。
（２０）  被写体を撮像する撮像部と、
前記撮像部による撮像により得られた画像データを画像処理する画像処理部と
を備え、
前記撮像部は、
それぞれが入射光を光電変換する構成を有する複数の画素からなる画素アレイと、
前記画素アレイから得られるアナログ信号の画素出力をA/D変換するA/D変換部と、
前記A/D変換部により前記画素出力がA/D変換されて得られるデジタルデータの画素データを保持する保持部と、
前記保持部から読み出された前記画素データを電流から電圧に変換するセンスアンプと、
前記保持部と前記センスアンプとの駆動を制御することにより、前記画素データの転送を制御するシフトレジスタと、
前記A/D変換部による前記画素出力に対するA/D変換を行う期間の一部または全部において、前記シフトレジスタの駆動を停止させる制御部と
を備える電子機器。
【符号の説明】
【０２２２】
１００  撮像素子，  １０１  制御部，  １０２  画素アレイ部，  １０３  行選択部，  １０４  参照電圧生成部，  １０５  カラムA/D変換部，  １０６  データ転送部，  １０７  読み出し処理部，  １０８  出力インタフェース部，  １５１  データラッチ，  １５２および１５３  データバス，  １５４  センスアンプ，  １５５  Ｈスキャナ，  １６１  増幅部，  １６２乃至１６４  フリップフロップ，  １６５乃至１６７  遅延部，  １８１  Ｈデコーダ，  １８２  シフトレジスタ，  １９１  フリップフロップ，  ２３１  制御部，  ２３２  データ処理部，  ２４１  カウント型クロック制御部，  ２４２  トリガ信号生成部，  ２４３  SRAM，  ３０１  イネーブル型クロック制御部，  ６００  撮像装置，  ６１２  CMOSイメージセンサ，  ６１３  画像処理部
【図１】
2018195975.tif 000003
【図２】
2018195975.tif 000004
【図３】
2018195975.tif 000005
【図４】
2018195975.tif 000006
【図５】
2018195975.tif 000007
【図６】
2018195975.tif 000008
【図７】
2018195975.tif 000009
【図８】
2018195975.tif 000010
【図９】
2018195975.tif 000011
【図１０】
2018195975.tif 000012
【図１１】
2018195975.tif 000013
【図１２】
2018195975.tif 000014
【図１３】
2018195975.tif 000015
【図１４】
2018195975.tif 000016
【図１５】
2018195975.tif 000017
【図１６】
2018195975.tif 000018